(57)【要約】  本発明は、画像の表示方向によりクロストークの発生状況が異なる場合にも、クロストークを視認されにくくすることができる画像処理装置を提供する。画像処理装置（１９０）は、互いに異なる方向に表示される第１および第２の画像が合成された画像であって、それぞれ１以上のサブ画素を含む複数の画素が配列され、第１の画像を構成するサブ画素と第２の画像を構成するサブ画素とが交互に配列された画像の各サブ画素の階調値を表す画像信号（Ｇ）を受け付け、該画像信号のサブ画素の階調値を、第１および第２の画像間のクロストークが視認されにくくなるように補正するクロストーク補正部（１９１）を備える。クロストーク補正部（１９１）は、サブ画素の階調値に対する補正量を、該サブ画素が表示される方向により変更する。
2012070444.tif 000002
【特許請求の範囲】
【請求項１】
互いに異なる方向に表示される第１および第２の画像が合成された画像であって、それぞれ１以上のサブ画素を含む複数の画素が配列され、前記第１の画像を構成するサブ画素と前記第２の画像を構成するサブ画素とが交互に配列された画像の前記各サブ画素の階調値を表す画像信号を受け付け、該画像信号のサブ画素の階調値を、前記第１および第２の画像間のクロストークが視認されにくくなるように補正するクロストーク補正部を備え、
前記クロストーク補正部は、前記サブ画素の階調値に対する補正量を、該サブ画素が表示される方向により変更する、
ことを特徴とする画像処理装置。
【請求項２】
前記クロストーク補正部は、前記補正対象のサブ画素の階調値を該サブ画素の周囲のサブ画素の階調値に応じた補正値を用いて補正し、該補正対象のサブ画素が表示される方向により前記補正値を変更する、
ことを特徴とする請求項１に記載の画像処理装置。
【請求項３】
前記クロストーク補正部は、前記補正対象のサブ画素の階調値を該サブ画素の周囲のサブ画素の階調値を用いて補正し、該補正対象のサブ画素が表示される方向により、前記補正に用いられるサブ画素を変更する、
ことを特徴とする請求項１または２に記載の画像処理装置。
【請求項４】
前記クロストーク補正部は、前記補正対象のサブ画素の階調値を、該サブ画素が含まれる画素に隣接する画素の周囲の画素に含まれる、該サブ画素が構成する画像と異なる画像を構成する、該サブ画素と同色のサブ画素の階調値に基づいて補正する、
ことを特徴とする請求項１から３のいずれか１項に記載の画像処理装置。
【請求項５】
前記クロストーク補正部は、前記補正対象のサブ画素の階調値を、該サブ画素が含まれる画素に隣接する画素に含まれる、該サブ画素が構成する画像と異なる画像を構成する、該サブ画素と同色のサブ画素の階調値に基づいて補正する、
ことを特徴とする請求項１から４のいずれか１項に記載の画像処理装置。
【請求項６】
前記クロストーク補正部は、前記補正後の画像信号を表示する画像表示装置の温度または該画像表示装置の周辺の温度によって、前記補正の補正量を変更する、
ことを特徴とする請求項１から５のいずれか１項に記載の画像処理装置。
【請求項７】
前記クロストーク補正部は、前記補正後の画像信号を表示する画像表示装置のバックライトの発光量に応じて、前記補正の補正量を変更する、
ことを特徴とする請求項１から６のいずれか１項に記載の画像処理装置。
【請求項８】
請求項１から７のいずれか１項に記載の画像処理装置と、
前記クロストーク補正部により補正された画像信号に基づき、前記第１および第２の画像をそれぞれ異なる方向に表示する表示部と、
を備えることを特徴とする画像表示装置。
【請求項９】
前記表示部は、前記第１および第２の画像をそれぞれ該表示部の表示面に対して左側および右側の方向に表示し、前記表示面に対して左右非対称な輝度特性を持つ、
ことを特徴とする請求項８に記載の画像表示装置。
【発明の詳細な説明】
【技術分野】
【０００１】
本発明は、画像処理装置及び画像表示装置に関する。
【背景技術】
【０００２】
液晶表示装置と、光遮蔽バリアである視差バリア、あるいはレンチキュラスクリーン等の視差光学素子とを用いることで、同一表示画面において、視方向により異なる画像を認識できるようにする技術が開発されている（特許文献１および特許文献２参照）。この技術を用いることで、運転席側にはナビゲーション画像を、助手席側にはテレビジョン画像などを同時に表示できる２画面表示ディスプレイや、視差をつけた画像を特殊な眼鏡を用いずに左右の目それぞれに提示する裸眼立体視ディスプレイなどが実用化されている。【０００３】
上記のような表示装置には、或る方向へ提示すべき画像が、別の方向に提示すべき画像に重畳され二重像となって視認される、いわゆるクロストークが生じてしまう問題がある。【０００４】
クロストークの発生原因は様々であるが、クロストークの一つとして、或るサブ画素に対する電気信号が隣接するサブ画素に電気的に影響を及ぼすことによって発生する電気的クロストークがある。例えば、複数のソースライン（信号ライン）および複数のゲートライン（走査ライン）がマトリクス状に配置され、ソースラインとゲートラインとの交点に対応してサブ画素が設けられる液晶表示装置では、隣接サブ画素のソースライン間の寄生容量による容量結合の影響による電気的クロストークがあり、これは主に隣接サブ画素間の階調差が大きい時に大きい。この解決方法として、特許文献３では、補正対象のサブ画素の信号レベルと隣接サブ画素の信号レベルに対応したＬＵＴ（ルックアップテーブル）を備え、補正対象のサブ画素の信号レベルを隣接サブ画素の信号レベルに基づいて補正する方法が開示されている。【０００５】
同一の表示画面において複数の画像をそれぞれ異なる方向に表示する方向別画像又は立体画像表示装置の場合、視差バリアやレンチキュラスクリーンなど、通常の液晶表示装置には無い構造に起因したクロストークも考えられる。例えば、或る方向に提示すべき画像光が別の方向に漏れてしまう光学的クロストークなどがある。この光学的クロストークは、例えばサブ画素の発光が視差バリアによって完全に遮光されないことにより生じる。【０００６】
特許文献３記載の方法では、こうした通常の液晶表示装置には無い構造に起因した光学的クロストークを補正することができない。【０００７】
光学的クロストークを補正する技術として、特許文献４には、補正対象のサブ画素の階調を、隣接する画素の同色のサブ画素の階調に基づいて補正するものが開示されている。
【先行技術文献】
【特許文献】
【０００８】
【特許文献１】特許第４５３０２６７号明細書
【特許文献２】特許第４３６７７７５号明細書
【特許文献３】特開２００６−２３７１０号公報
【特許文献４】特許第４３７５４６８号明細書
【発明の概要】
【発明が解決しようとする課題】
【０００９】
ところで、同一の表示画面において複数の画像をそれぞれ異なる方向に表示する画像表示装置では、画像の表示方向によりクロストークの発生状況が異なる場合がある。【００１０】
本発明は、画像の表示方向によりクロストークの発生状況が異なる場合にも、クロストークを視認されにくくすることができる画像処理装置及び画像表示装置を提供することを目的とする。
【課題を解決するための手段】
【００１１】
本発明の画像処理装置は、互いに異なる方向に表示される第１および第２の画像が合成された画像であって、それぞれ１以上のサブ画素を含む複数の画素が配列され、前記第１の画像を構成するサブ画素と前記第２の画像を構成するサブ画素とが交互に配列された画像の前記各サブ画素の階調値を表す画像信号を受け付け、該画像信号のサブ画素の階調値を、前記第１および第２の画像間のクロストークが視認されにくくなるように補正するクロストーク補正部を備え、前記クロストーク補正部は、前記サブ画素の階調値に対する補正量を、該サブ画素が表示される方向により変更することを特徴とする。【００１２】
本発明の画像表示装置は、上記の画像処理装置と、前記補正部により補正された画像信号に基づき、前記第１および第２の画像をそれぞれ異なる方向に表示する表示部とを備える。
【発明の効果】
【００１３】
本発明によれば、画像の表示方向によりクロストークの発生状況が異なる場合にも、クロストークを視認されにくくすることができる。
【図面の簡単な説明】
【００１４】
【図１】実施の形態１の画像表示装置の構成を示すブロック図である。
【図２】表示部の構成の一例を示す概略平面図である。
【図３】入力される画像信号のサブ画素配列の一例を示す図である。
【図４】光の回折による光学的クロストークを示す図である。
【図５】光の反射による光学的クロストークを示す図である。
【図６】図３の画像信号の一部を切り出したサブ画素配列を示す図である。
【図７】図６の中央の画素に対する隣接画素を示す図である。
【図８】図６の中央の画素に対する周囲画素を示す図である。
【図９】図６の中央のサブ画素に対して光学的クロストークの影響を与えるサブ画素を示す図である。
【図１０】クロストーク補正部で用いられるＬＵＴの一例を示す図である。
【図１１】クロストーク補正部の構成の一例を示すブロック図である。
【図１２】実施の形態１の画像表示装置の動作を示すフローチャートである。
【図１３】（ａ）および（ｂ）は入力される画像を示す図であり、（ｃ）、（ｄ）、および（ｅ）は右方向から表示部の画面を見たときに視認される画像を示す図である。
【図１４】実施の形態２の画像表示装置に含まれるクロストーク補正部の構成を示すブロック図である。
【図１５】実施の形態３の画像表示装置の構成を示すブロック図である。
【図１６】実施の形態３のクロストーク補正部の構成の一例を示すブロック図である。
【図１７】実施の形態４の画像表示装置の構成を示すブロック図である。
【図１８】実施の形態４のクロストーク補正部の構成の一例を示すブロック図である。
【図１９】実施の形態５の画像表示装置の構成を示すブロック図である。
【図２０】実施の形態５の画像表示装置の利用形態の一例を示す図である。
【図２１】実施の形態５の表示部の構造の一例を示す概略平面図である。
【図２２】（ａ）および（ｂ）は、表示部の輝度分布を示す図である。
【図２３】表示部の輝度分布の測定方法を示す図である。
【図２４】実施の形態５のクロストーク補正部の構成の一例を示すブロック図である。
【図２５】実施の形態５の画像表示装置のクロストーク補正処理を示すフローチャートである。
【図２６】実施の形態５のサブ画素選択部の処理を示すフローチャートである。
【発明を実施するための形態】
【００１５】
以下、本発明の実施の形態を図面に従って説明する。
実施の形態１．
本実施の形態では、主に、隣接する画素およびその周囲の画素による光学的クロストークを視認されにくくする装置または方法について説明する。
図１は、本発明の実施の形態１の画像表示装置１００の構成を概略的に示すブロック図である。この画像表示装置１００は、同一の表示画面において複数の画像をそれぞれ異なる方向に表示する装置である。例えば、画像表示装置１００は、方向別画像又は立体画像を表示可能な画像表示装置である。すなわち、画像表示装置１００は、例えば、複数の方向の視聴者にそれぞれ異なる画像を提示する方向別画像表示装置や、視差をつけた画像を左右の目それぞれに提示する立体画像表示装置である。
【００１６】
図１において、画像表示装置１００は、入力端子１、クロストーク補正部２、階調変換部３、タイミング信号生成部４、および表示部５を備えている。
【００１７】
入力端子１は、画像信号Ｇの入力を受ける。画像信号Ｇは、互いに異なる第１および第２の画像が合成された画像の各サブ画素の階調値を表す信号である。ここでは、画像信号Ｇは、各サブ画素の階調値と同期信号とからなるデジタル信号である。画像信号Ｇは、例えばカーナビゲーション機能とＤＶＤ再生機能を含むヘッドユニット装置が、カーナビゲーション画像とＤＶＤ再生画像を合成して出力した信号である。
【００１８】
クロストーク補正部２は、入力端子１に入力された画像信号Ｇのサブ画素の階調値の補正を行う。具体的には、クロストーク補正部２は、画像信号Ｇに対してクロストークによる階調レベルの変化を打ち消すような補正を行う。クロストーク補正部２は、表示部５で表現できる１階調の変化より小さい補正を行ってもよい。
【００１９】
階調変換部３は、クロストーク補正部２による表示部５の１階調より小さい補正を表示部５において視認できるように、クロストーク補正後の画像信号に対して階調変換処理を行う。すなわち、階調変換部３は、クロストーク補正後の画像信号の階調数を、表示部５の階調数に適合するように変換する。階調変換処理としては、例えばディザ処理や誤差拡散処理などがある。
【００２０】
タイミング信号生成部４は、スタートパルスや有効期間信号、極性信号など、表示部５に画像信号を表示するための信号を生成し、該信号をクロストーク補正後の画像信号とともに表示部５に供給する。
【００２１】
表示部５は、タイミング信号生成部４により生成された信号に基づき、クロストーク補正後の画像信号を表示する。具体的には、表示部５は、クロストーク補正後の画像信号に基づき、第１および第２の画像をそれぞれ異なる方向に表示する。
【００２２】
以下、表示部５および画像信号Ｇについて詳しく説明する。
表示部５は、互いに異なる第１および第２の方向にそれぞれ画像を表示するものであり、それぞれ１以上のサブ画素を含む複数の画素が配列された構造を有し、第１の方向に表示されるサブ画素と第２の方向に表示されるサブ画素とが交互に配列されるように構成されている。
【００２３】
画像信号Ｇは、互いに異なる方向に表示される第１および第２の画像が合成された画像であって、それぞれ１以上のサブ画素を含む複数の画素が配列され、第１の画像を構成するサブ画素と第２の画像を構成するサブ画素とが交互に配列された画像の各サブ画素の階調値を表す信号である。画像信号Ｇは、表示部５の各サブ画素に対応する階調値を表す信号とも言える。
【００２４】
表示部５の各サブ画素は、該サブ画素に対応する画像信号のサブ画素の階調値に基づき、該階調値に応じた階調レベルの光を表示する。より詳しくは、表示部５の第１の方向に表示されるサブ画素は、該サブ画素に対応する画像信号Ｇの第１の画像を構成するサブ画素の階調値に基づき、該階調値に応じた階調レベルの光を第１の方向に表示する。表示部５の第２の方向に表示されるサブ画素は、該サブ画素に対応する画像信号Ｇの第２の画像を構成するサブ画素の階調値に基づき、該階調値に応じた階調レベルの光を第２の方向に表示する。これにより、第１の画像が第１の方向に表示され、第２の画像が第２の方向に表示される。
【００２５】
一つの態様では、表示部５および画像信号Ｇについて、１画素は、赤色（Ｒ：Ｒｅｄ）、緑色（Ｇ：Ｇｒｅｅｎ）、青色（Ｂ：Ｂｌｕｅ）の３つのサブ画素で構成される。また、複数の画素は、互いに異なる２つの方向（例えば横方向および縦方向）に二次元に配列される。また、第１の画像を構成するサブ画素と第２の画像を構成するサブ画素とは、上記互いに異なる２つの方向について１サブ画素毎に交互に配列される。
【００２６】
図２は、表示部５の構成の一例を示す概略平面図である。図２において、表示部５は、液晶表示装置と市松状（チェッカーボード状とも言う）の視差バリアとを備える構造を有し、２画面表示可能なものである。具体的には、表示部５は、バックライト２１、液晶パネル２２、および視差バリア２３を有する。液晶パネル２２では、Ｒ、Ｇ、Ｂの３色のサブ画素の集まりが１画素を構成しており、複数の画素が順に配列されている。視差バリア２３は、液晶パネル２２に向かって左側の視聴者２４に表示されるサブ画素と、液晶パネル２２に向かって右側の視聴者２５に表示されるサブ画素とが、１サブ画素毎に交互に配列されるように、各サブ画素の光を遮蔽する。したがって、左側の視聴者２４の方向から表示部５を見ると、液晶パネル２２は視差バリア２３によって１サブ画素毎に遮蔽されており、液晶パネル２２の正味半分の左側画像用の領域が視認可能である。一方、右側の視聴者２５の方向から表示部５を見ると、視聴者２４の方向へは遮蔽されていたサブ画素が視認可能であり、視聴者２４には視認可能なサブ画素が遮蔽されており、液晶パネル２２の正味半分の右側画像用の領域が視認可能である。
【００２７】
なお、図２では複数のサブ画素が横方向に配列された様子が示されているが、複数のサブ画素は横方向および縦方向に二次元に配列される。また、視差バリア２３は、横方向および縦方向について、左側の視聴者２４に表示されるサブ画素と右側の視聴者２５に表示されるサブ画素とが１サブ画素毎に交互に配列されるように、市松状の構造を有する。
【００２８】
図３は、画像信号Ｇのサブ画素配列の一例を示す図である。この画像信号Ｇのサブ画素配列は、図２の表示部５に対応するものであり、２つの画像がサブ画素単位で市松状に合成された構造を有する。図３において、各マス目はサブ画素を表す。各サブ画素のマス目の１行目は該サブ画素が構成する画像（または該サブ画素が表示される視方向）を示し、“Ｌ”は左側の視聴者に提示されるべき左側画像（または左方向）、“Ｒ”は右側の視聴者に提示されるべき右側画像（または右方向）を意味する。また、各サブ画素のマス目の２行目は該サブ画素が含まれる画素の座標を示し、各座標は横方向の座標値ｘおよび縦方向の座標値ｙを含む。また、各サブ画素のマス目の３行目は該サブ画素の色（Ｒ，Ｇ，Ｂ）を示す。
【００２９】
図３では、Ｒ、Ｇ、Ｂの３色のサブ画素の集まりが１画素を構成しており、複数のサブ画素が横方向および縦方向に二次元に配列されている。また、左側画像を構成するサブ画素と、右側画像を構成するサブ画素とが、横方向および縦方向について、１サブ画素毎に交互に配列されている。
【００３０】
このような画像信号Ｇは、例えば、図３に示されるように、左側画像の元の画像信号ＧＬおよび右側画像の元の画像信号ＧＲのサブ画素の階調値をそれぞれ市松状に取捨選択して合成することにより得られる。具体的には、偶数ライン（座標値ｙが偶数のライン）については、左側画像のＲ、右側画像のＧ、左側画像のＢ、右側画像のＲ、・・・という並びで、奇数ライン（座標値ｙが奇数のライン）については、右側画像のＲ、左側画像のＧ、右側画像のＢ、左側画像のＲ、・・・という並びで、２つの画像信号ＧＬ，１Ｒのサブ画素の階調値を合成することにより得られる。
【００３１】
以下、電気的クロストークおよび光学的クロストークについて説明する。
電気的クロストークは、或るサブ画素に対する電気信号が隣接するサブ画素に電気的に影響を及ぼすことによって発生するものである。例えば、複数のソースライン（信号ライン）および複数のゲートライン（走査ライン）がマトリクス状に配置され、ソースラインとゲートラインとの交点に対応してサブ画素が設けられる液晶表示装置では、電気的クロストークは、隣接サブ画素のソースライン間およびゲートライン間の寄生容量による容量結合の影響により発生するものであると考えられる。この電気的クロストークの影響は、影響を受けたサブ画素の電圧値が該サブ画素の階調値に対応した電圧値からずれ、該サブ画素から視認される発光量が変わることで現れる。
【００３２】
一方、光学的クロストークは、或る方向に提示すべき画像光が別の方向に漏れてしまうことにより発生するものである。例えば、視差バリアを用いる方向別画像又は立体画像表示装置において、その構造に起因する光学的クロストークは２種類あると考えられる。１つめはスリットによる光の回折によるものであり、もう一つは視差バリアによる光の反射によるものである。
【００３３】
図４は、光の回折によるクロストークを示した図である。液晶パネル４０のサブ画素４１は、視差バリア４２によって液晶パネル４０へ向かって左側へは遮蔽されるべきサブ画素である。しかし、視差バリア４２とその隣の視差バリア４３との間が十分に狭いために回折現象が生じ、サブ画素４１の光が、回折光路４４のように回り込んで本来遮蔽されるべき左側へ漏れてしまう。
【００３４】
図５は、光の反射によるクロストークを示した図である。液晶パネル５０のサブ画素５１は視差バリア５２によって液晶パネル５０へ向かって左側へは遮蔽されるべきサブ画素である。しかし、サブ画素５１の光が、視差バリア５２に反射され、さらにサブ画素５１と隣接するサブ画素５３の面に反射されることで、反射光路５４のように本来遮蔽されるべき左側へ漏れてしまう。
【００３５】
図６は、画像信号Ｇのサブ画素配列を示す図であり、図３の画像信号Ｇの一部（５×５画素）を切り出したものである。以下、図６を参照して、ある注目するサブ画素（以下、「注目サブ画素」と称す）に対してクロストークの影響を及ぼすサブ画素について説明する。
【００３６】
以降の説明では、ある画素に対し、同画素に隣接する画素を“隣接画素”と称し、さらに隣接画素の周囲の画素を“周囲画素”と称する。例えば、図６において、中央にある座標（ｘ，ｙ）の画素に対し、同画素を取り囲んで上下、左右、または斜め方向に隣接している画素を“隣接画素”と称し、さらに隣接画素を取り囲む画素を“周囲画素”と称する。図７には、８個の隣接画素が示されており、図８には、１６個の周囲画素が示されている。
【００３７】
電気的クロストークについては、注目サブ画素に対して隣接するサブ画素からの影響が大きい。また、電気的クロストークの影響は、サブ画素の色や表示方向によらず、注目サブ画素そのものの発光が変化する形で現れる。したがって、注目サブ画素は、サブ画素間の色や表示方向の異同によらず、該サブ画素に隣接するサブ画素から電気的クロストークの影響を受ける。
【００３８】
具体的には、ソースラインおよびゲートラインがマトリクス状に配置された液晶表示装置では、注目サブ画素は、該サブ画素に対してソースライン方向（横方向）に隣接する２つのサブ画素およびゲートライン方向（縦方向）に隣接する２つのサブ画素、すなわち上下左右に隣接する合計４つのサブ画素から電気的クロストークの影響を受ける。例えば、図６において、座標（ｘ，ｙ）のＧ色のサブ画素は、座標（ｘ，ｙ）のＲおよびＢ色のサブ画素、座標（ｘ，ｙ−１）のＧ色のサブ画素、座標（ｘ，ｙ＋１）のＧ色のサブ画素から電気的クロストークの影響を受ける。
【００３９】
光学的クロストークについては、注目サブ画素は、上下、左右、斜め方向など、該サブ画素に対して様々な方向に位置するサブ画素からの影響を受け得る。また、注目サブ画素は、広範囲のサブ画素から光学的クロストークの影響を受け得る。具体的には、注目サブ画素は、該サブ画素が含まれる画素に対する隣接画素のサブ画素だけでなく、周囲画素のサブ画素からも光学的クロストークの影響を受け得る。特に、同一表示画面において互いに異なる２つの画像をそれぞれ異なる方向に表示する表示装置では、１方向へ表示される画面の輝度を確保するために、通常の表示装置よりも各サブ画素の光を強くすることが多い。具体的には、方向別画像又は立体画像表示装置では、視差バリア等の構造により、１方向へ表示される画面の輝度が落ちてしまうのを防ぐために、通常の表示装置では下部のみに配置されるバックライトを上部と下部の２箇所に配置するなどし、より強い発光が可能になるバックライトシステムを用いることが多い。このように、各サブ画素の発光が強くなっていることにより、光学的クロストークの及ぶ範囲は広範囲になる。
【００４０】
また、光学的クロストークの影響は、注目サブ画素と異なる方向に提示されるサブ画素のうち、注目サブ画素と同色のサブ画素の光が注目サブ画素の光に重畳し、これにより視聴者に視認される注目サブ画素の階調レベルが変化する形で現れる。
【００４１】
したがって、光学的クロストークについては、注目サブ画素は、該サブ画素が含まれる画素に隣接する画素および該隣接する画素の周囲の画素に含まれる、該サブ画素が構成する画像と異なる方向に提示される（すなわち該サブ画素と異なる画像を構成する）、該サブ画素と同色のサブ画素からクロストークの影響を受ける。
【００４２】
例えば、あるサブ画素の光が２画素先まで光学的クロストークの影響を及ぼすとした場合、図６における座標（ｘ，ｙ）のＲ方向のＧ色のサブ画素は、図９に示されるように、該サブ画素が含まれる座標（ｘ，ｙ）の画素に対する隣接画素および周囲画素に含まれる、該サブ画素と異なるＬ方向に表示される、該サブ画素と同じＧ色の合計１２個のサブ画素から光学的クロストークの影響を受ける。なお、図９において、破線９０は座標（ｘ−１，ｙ−２）のＬ方向のＧ色のサブ画素の光学的クロストークの影響範囲を示し、破線９１は座標（ｘ−２，ｙ−１）のＬ方向のＧ色のサブ画素の光学的クロストークの影響範囲を示す。座標（ｘ，ｙ）のＲ方向のＧ色のサブ画素は、座標（ｘ−１，ｙ−２）のＬ方向のＧ色のサブ画素および座標（ｘ−２，ｙ−１）のＬ方向のＧ色のサブ画素の光学的クロストークの影響範囲に入っている。
【００４３】
以下、クロストーク補正部２によるクロストークの補正について説明する。
補正対象のサブ画素が他のサブ画素から電気的または光学的クロストークの影響を受ける場合、補正対象のサブ画素の視認される階調レベルは、他のサブ画素からのクロストークの影響により、補正対象のサブ画素の階調値に対応する本来の階調レベルからずれる。そこで、クロストーク補正部２は、上記視認される階調レベルのずれを打ち消すように、補正対象のサブ画素の階調値を補正する。
【００４４】
例えば、画像信号Ｇのサブ画素の階調数が２５６（８ビット）であったとし、補正対象のサブ画素Ａの階調値が１５、そのサブ画素Ａにクロストークの影響を与えるサブ画素Ｂの階調値が２４３であったとする。これらサブ画素をそのまま表示部５で表示した場合、サブ画素Ａの発光は、サブ画素Ｂからのクロストークによる影響で階調値１８相当の階調レベルとなり、本来の階調レベルよりも＋３程度階調レベルが強い発光が視認されてしまう。そこで、クロストーク補正部２は、サブ画素Ａの階調値を−３だけ補正して１２とする。これにより、クロストークによる影響＋３が発生したときに、サブ画素Ａの視認される階調レベルは、本来の階調レベルである階調値１５相当の階調レベルとなる。このように、クロストーク補正部２は、視認される階調レベルが本来よりも大きくなる場合（すなわち発光が強く視認される場合）、補正対象のサブ画素の階調値を小さくする補正を行う。なお、視認される階調レベルが本来よりも小さくなる場合（すなわち発光が弱く視認される場合）も存在し、この場合には、クロストーク補正部２は、補正対象のサブ画素の階調値を大きくする補正を行う。
【００４５】
上記視認される階調レベルのずれの度合は、補正対象のサブ画素にクロストークの影響を与えるサブ画素の階調値に依存する。そこで、クロストーク補正部２は、補正対象のサブ画素の階調値を、該サブ画素にクロストークの影響を与えるサブ画素の階調値に基づいて補正する。すなわち、電気的クロストークについては、クロストーク補正部２は、補正対象のサブ画素の階調値を、該サブ画素に隣接するサブ画素の階調値に基づいて補正する。光学的クロストークについては、クロストーク補正部２は、補正対象のサブ画素の階調値を、該サブ画素が含まれる画素に隣接する画素および該隣接する画素の周囲の画素に含まれる、該サブ画素が構成する画像と異なる画像を構成する、該サブ画素と同色のサブ画素の階調値に基づいて補正する。
【００４６】
上記視認される階調レベルのずれの度合は、補正対象のサブ画素の階調値にも依存する。そこで、一つの態様では、クロストーク補正部２は、補正対象のサブ画素の階調値を、該サブ画素の階調値と、該サブ画素にクロストークの影響を与えるサブ画素の階調値とに基づいて補正する。具体的には、クロストーク補正部２は、補正対象のサブ画素の階調値と、該サブ画素にクロストークの影響を与えるサブ画素の階調値との組み合わせに対応する補正値を求め、該補正値を補正対象のサブ画素の階調値に加算してクロストーク補正後の階調値を得る。上記補正値は、例えばＬＵＴ（ルックアップテーブル）を用いて求められる。
【００４７】
図１０は、クロストーク補正部２で用いられるＬＵＴの一例を示す図である。このＬＵＴは、補正対象のサブ画素の階調値と、該サブ画素にクロストークの影響を与えるサブ画素の階調値との組み合わせに対応する補正値を格納するものであり、補正対象のサブ画素の階調値と該サブ画素にクロストークの影響を与えるサブ画素の階調値との組み合わせが入力されたときに、対応する補正値を出力する。ＬＵＴのサイズ（ビット数）を減らす観点より、図１０のＬＵＴでは、補正後の階調値ではなく、補正前後の階調値の差分である補正値が格納されている。ＬＵＴに格納される補正値は、実験によって求められた値である。なお、ＬＵＴの補正値は、より細かい補正を行うため、画像信号Ｇまたは表示部５で表現できる１階調よりも小さい成分を含んでいても良い。こういった補正成分も階調変換部３によって視認することができるようになるからである。
【００４８】
クロストーク補正部２は、補正対象のサブ画素に対する複数のサブ画素からのクロストークを補正する場合には、該複数のサブ画素の階調値に基づいて補正対象のサブ画素の階調値を補正する。例えば、クロストーク補正部２は、クロストークの影響を与える複数のサブ画素の各々について、該サブ画素と補正対象のサブ画素との組み合わせに対応する補正値を求め、得られた複数の補正値を補正対象のサブ画素の階調値に加算する。
【００４９】
図１１は、クロストーク補正部２の構成の一例を示すブロック図である。以下、図１１を参照して、クロストーク補正部２の構成について説明する。図１１において、クロストーク補正部２は、サブ画素選択部１１１と、補正部１１２とを備える。
【００５０】
サブ画素選択部１１１は、画像信号Ｇを受け付け、該画像信号Ｇから補正対象のサブ画素の階調値と、該サブ画素にクロストークの影響を与えるサブ画素の階調値（すなわち補正に用いるサブ画素の階調値）とを選択する。具体的には、電気的クロストークについて、サブ画素選択部１１１は、クロストークの影響を与えるサブ画素の階調値として、補正対象のサブ画素に対して上下左右に隣接する合計４個のサブ画素の階調値を選択する。光学的クロストークについて、サブ画素選択部１１１は、クロストークの影響を与えるサブ画素の階調値として、補正対象のサブ画素が含まれる画素に隣接する画素および該隣接する画素の周囲の画素に含まれる、該サブ画素が構成する画像と異なる画像を構成する、該サブ画素と同色のサブ画素の階調値を選択する。例えば、図６の座標（ｘ，ｙ）のＲ方向のＧ色のサブ画素を補正対象とする場合、サブ画素選択部１１１は、図９に示される、座標（ｘ，ｙ）の画素に対する隣接画素および周囲画素に含まれる、該サブ画素と異なるＬ方向に表示される、該サブ画素と同じＧ色の合計１２個のサブ画素の階調値を選択する。
【００５１】
補正部１１２は、サブ画素選択部１１１により選択された補正対象のサブ画素の階調値を、サブ画素選択部１１１により選択されたクロストークの影響を与えるサブ画素の階調値に基づいて補正する。
【００５２】
補正部１１２は、電気的クロストーク補正値生成部１１３、光学的クロストーク補正値生成部１１４、および補正値加算部１１５を有する。
【００５３】
電気的クロストーク補正値生成部１１３は、補正対象のサブ画素の階調値と、該サブ画素に電気的クロストークの影響を与えるサブ画素の階調値とに基づき、電気的クロストークを補正するための補正値を生成する。
【００５４】
光学的クロストーク補正値生成部１１４は、補正対象のサブ画素の階調値と、該サブ画素に光学的クロストークの影響を与えるサブ画素の階調値とに基づき、光学的クロストークを補正するための補正値を生成する。
【００５５】
補正値加算部１１５は、電気的クロストーク補正値生成部１１３により生成された補正値と、光学的クロストーク補正値生成部１１４により生成された補正値とを補正対象のサブ画素の階調値に加算して、補正対象のサブ画素のクロストーク補正後の階調値を出力する。
【００５６】
図１１の例では、電気的クロストーク補正値生成部１１３は、補正対象のサブ画素に対して上下左右に隣接する合計４個のサブ画素に対応する合計４個の電気的クロストーク補正用ＬＵＴ１１３−１〜１１３−４を有する。４個の電気的クロストーク補正用ＬＵＴ１１３−１〜１１３−４は、それぞれ、補正対象のサブ画素の階調値と、該ＬＵＴに対応するサブ画素の階調値との組み合わせを補正値に変換し、補正値加算部１１５に出力する。
【００５７】
光学的クロストーク補正値生成部１１４は、図９に示される合計１２個の光学的クロストークの影響を与えるサブ画素に対応する合計１２個の光学的クロストーク補正用ＬＵＴ１１４−１〜１１４−１２を有する。１２個の光学的クロストーク補正用ＬＵＴ１１４−１〜１１４−１２は、それぞれ、補正対象のサブ画素の階調値と、該ＬＵＴに対応するサブ画素の階調値との組み合わせを補正値に変換し、補正値加算部１１５に出力する。
【００５８】
補正値加算部１１５は、４個の電気的クロストーク補正用ＬＵＴ１１３−１〜１１３−４から出力される合計４個の補正値と、１２個の光学的クロストーク補正用ＬＵＴ１１４−１〜１１４−１２から出力される合計１２個の補正値とを補正対象のサブ画素の階調値に加算して、クロストーク補正後の階調値を出力する。
【００５９】
なお、以上の説明では、Ｇ色のサブ画素を補正対象とする場合を例示しているが、他の色のサブ画素を補正対象とする場合も同様に補正が行われる。
【００６０】
図１２は、実施の形態１の画像表示装置１００の動作を示すフローチャートである。以下、図１２を参照して、画像表示装置１００の動作の一例を説明する。
【００６１】
画像表示装置１００は、互いに異なる方向に表示される第１および第２の画像が合成された画像であって、それぞれ１以上のサブ画素を含む複数の画素が配列され、第１の画像を構成するサブ画素と第２の画像を構成するサブ画素とが交互に配列された画像の各サブ画素の階調値を表す画像信号Ｇを受け付ける（Ｓ１）。
【００６２】
ついで、画像表示装置１００は、画像信号Ｇに対して電気的クロストークおよび光学的クロストークの補正を行う（Ｓ２）。具体的には、光学的クロストークの補正について、画像表示装置１００は、画像信号Ｇの補正対象のサブ画素の階調値を、該サブ画素が含まれる画素に隣接する画素および該隣接する画素の周囲の画素に含まれる、該サブ画素が構成する画像と異なる画像を構成する、該サブ画素と同色のサブ画素の階調値に基づいて補正する。
【００６３】
上記ステップＳ２は、ステップＳ２−１およびＳ２−２を含む。
ステップＳ２−１では、画像表示装置１００は、画像信号Ｇから、補正対象のサブ画素の階調値と、該サブ画素にクロストークの影響を与えるサブ画素の階調値（すなわち補正に用いるサブ画素の階調値）とを選択する。
ステップＳ２−２では、画像表示装置１００は、ステップＳ２−１で選択された補正対象のサブ画素の階調値を、ステップＳ２−１で選択されたクロストークの影響を与えるサブ画素の階調値に基づいて補正する。
【００６４】
ついで、画像表示装置１００は、ステップＳ２で補正された画像信号を表示する（Ｓ３）。具体的には、画像表示装置１００は、補正後の画像信号に基づき、第１および第２の画像をそれぞれ第１および第２の方向に表示する。
【００６５】
以上説明した通り、本実施の形態では、クロストーク補正部は、補正対象のサブ画素の階調値を、該サブ画素が含まれる画素に隣接する画素および該隣接する画素の周囲の画素に含まれる、該サブ画素が構成する画像と異なる画像を構成する、該サブ画素と同色のサブ画素の階調値に基づいて補正する。このため、本実施の形態によれば、隣接画素および周囲画素による光学的クロストークを視認されにくくすることが可能になる。具体的には、隣接画素および周囲画素のサブ画素による光学的クロストークが発生しても、該クロストークによる階調レベルの変化分を打ち消すような補正を行うことができ、該クロストークの影響を視認されにくくすることができる。
【００６６】
また、補正対象のサブ画素に対して斜め方向に位置するサブ画素の階調値を用いて補正を行う場合には、斜め方向に発生する光学的クロストークの補正を行うことが可能になる。
【００６７】
図１３は、隣接画素のサブ画素のみを用いて光学的クロストーク補正を行った場合と、隣接画素および周囲画素のサブ画素を用いて光学的クロストーク補正を行った場合との視認される画像の差を示す。Ｌ方向画像（左側画像）として図１３（ａ）に示される斜めに延びた白線を含む画像、Ｒ方向画像（右側画像）として図１３（ｂ）に示される黒ベタ画像を入力した場合、光学的クロストーク補正を行わずに右方向から表示部５の画面を見ると、光学的クロストークの影響により、図１３（ｃ）に示されるように、斜めに延びた線（明るい領域１３１，１３２，１３３）がうっすらと視認される。領域１３１、１３２、１３３のうち、領域１３２が領域１３１、１３３よりも明るい。隣接画素のサブ画素のみを用いて補正を行った場合、図１３（ｄ）に示されるように、うっすらと視認されていた線のうち、中心部分（領域１３２）のみが補正により視認されなくなるものの、その周りはまだ斜め線（明るい領域１３１，１３３）が視認されてしまう。このように、隣接画素のサブ画素のみを用いて補正を行った場合、周囲画素による光学的クロストークの影響が残ってしまい、補正不足の状態となってしまう。隣接画素および周囲画素のサブ画素を用いて補正を行った場合、図１３（ｅ）に示されるように、光学的クロストークによって視認されていた斜め線が完全に視認されなくなる。なお、図１３の例では、階調値０の黒のサブ画素に対する補正の余地を作るため、黒の階調値を（例えば＋１０程度）浮かせてから光学的クロストーク補正を行っている。
【００６８】
なお、上記の説明では、第１の画像を構成するサブ画素と第２の画像を構成するサブ画素とが、横方向および縦方向について１サブ画素毎に交互に配列されるパターンを例示したが、第１の画像を構成するサブ画素と第２の画像を構成するサブ画素とは、他のパターンで交互に配列されてもよい。例えば、横方向および縦方向のうちの一方向について第１の画像を構成するサブ画素と第２の画像を構成するサブ画素とが１サブ画素毎に交互に配列され、他方向については同一の画像を構成するサブ画素だけが配列されてもよい。すなわち、画像信号Ｇのサブ画素配列や表示部５の視差バリア構造は、市松状に限られず、ストライプ状など別のパターンであってもよい。また、１サブ画素毎に交互に配列されるパターンに限られず、例えば、２個のサブ画素ずつ交互に配列されてもよいし、第１の画像を構成するサブ画素３個と、第２の画像を構成するサブ画素１個とが交互に配列されてもよい。
【００６９】
また、上記の説明では、１画素がＲＧＢの３色のサブ画素で構成される場合を例示したが、１色、２色、または４色以上のサブ画素で１画素が構成されてもよい。例えば、ＲＧＢに黄色（Ｙ：Ｙｅｌｌｏｗ）を加えた４色のサブ画素で１画素が構成されてもよい。この場合、第１および第２の画像を構成するＲＧＢＹのサブ画素は、例えば下記パターン１や２のように配列される。
（パターン１）
サブ画素の色          ：ＲＧＢＹＧＲＹＢＲＧＢＹＧＲＹＢ
サブ画素が構成する画像：１２１２１２１２１２１２１２１２
（パターン２）
サブ画素の色          ：ＲＧＢＹＲＧＢＹＲＧＢＹＲＧＢＹ
サブ画素が構成する画像：１２１２２１２１１２１２２１２１
【００７０】
また、上記の説明では、２つの画像がそれぞれ異なる方向に表示される場合を例示したが、３つ以上の画像がそれぞれ異なる方向に表示されてもよい。すなわち、処理対象の画像信号は、３つ以上の画像が合成されたものでもよく、第１の画像を構成するサブ画素と第２の画像を構成するサブ画素とが交互に配列される構造において、他の画像を構成するサブ画素が介在してもよい。
【００７１】
また、上記の説明では、液晶パネルを備える構成を例示したが、本実施の形態のクロストーク補正は、有機ＥＬ（エレクトロルミネッセンス）装置やプラズマディスプレイなどの他の種類の電気光学装置にも適用可能である。
【００７２】
また、上記の説明では、電気的クロストークおよび光学的クロストークを補正する構成を例示したが、光学的クロストークだけを補正する構成であってもよい。
【００７３】
また、上記の説明では、光学的クロストークについて、隣接画素に含まれるサブ画素の階調値および周囲画素に含まれるサブ画素の階調値に基づいて補正する構成を例示したが、周囲画素に含まれるサブ画素の階調値に基づいて補正し、隣接画素に含まれるサブ画素の階調値を補正に用いない構成とすることも可能である。この構成では、周囲画素による光学的クロストークを視認されにくくすることが可能になる。
【００７４】
また、上記の説明では、合計１６個のＬＵＴを用いる構成を例示したが、ＬＵＴの個数は適宜変更可能であり、例えば、ＬＵＴが占有する容量を削減する観点より下記（１）〜（６）のようにＬＵＴの個数を削減してもよい。
【００７５】
（１）電気的クロストークについて、上下方向の２つのサブ画素もしくは左右方向の２つのサブ画素について１つのＬＵＴを共用してもよい。これにより、電気的クロストーク補正用ＬＵＴの数を４個から２個にまで削減できる。
【００７６】
（２）実験的に、電気的クロストークについては、特にソースライン方向の影響が大きく、ゲートライン方向に比べて２倍から３倍程度の影響があることが分かった。そこで、影響が大きい左右方向のサブ画素に対応するＬＵＴのみを用いて補正を行ってもよい。これにより、電気的クロストーク補正用ＬＵＴの数を４個から２個にまで削減でき、左右方向の２つのサブ画素について１つのＬＵＴを共用する場合には、さらに１個にまで削減できる。
【００７７】
（３）電気的クロストークについては、画像の走査方向の下流側で隣接するサブ画素からの影響が大きい傾向がある。そこで、画像が左上から右下へ走査される場合、右（ソースライン方向）および下（ゲートライン方向）に隣接するサブ画素に対応するＬＵＴのみを用いてもよい。これにより、電気的クロストーク補正用ＬＵＴの数を４個から２個にまで削減できる。
【００７８】
（４）光学的クロストークについて、サブ画素選択部１１１において、図９において座標（ｘ，ｙ）のＧ色のサブ画素に対して左上方向にある座標（ｘ−１，ｙ−２）および座標（ｘ−２，ｙ−１）のＧ色のサブ画素の階調値の平均値を求め、この平均値に対して１つのＬＵＴを用いてもよい。すなわち、該平均値と補正対象のサブ画素の階調値との組み合わせを入力データとする１つのＬＵＴを用いてもよい。同様に、右上方向、左下方向、右下方向についても、２つのサブ画素に対して１つのＬＵＴを用いてもよい。このように各斜め方向について、２つのサブ画素の階調値の平均値に対して１つのＬＵＴを用いることで、光学的クロストーク補正用ＬＵＴの数を１２個から８個にまで削減できる。
【００７９】
（５）光学的クロストークについて、サブ画素選択部１１１において、図９において座標（ｘ，ｙ）のＧ色のサブ画素に対して左方向にある座標（ｘ−１，ｙ）および左上方向にある座標（ｘ−２，ｙ−１）および左下方向にある座標（ｘ−２，ｙ＋１）のＧ色のサブ画素の階調値に対して、座標（ｘ，ｙ）からの距離に応じた加重加算を行い、この結果に対して１つのＬＵＴを用いてもよい。上、下、右方向についても同様に３つのサブ画素の加重加算結果に対して１つのＬＵＴを用いることで、光学的クロストーク補正用ＬＵＴの数を１２個から４個にまで削減できる。さらに、上下方向よりも左右方向にあるサブ画素による光学的クロストークの影響のほうが大きいとすれば、上下方向のＬＵＴをなくして、さらにＬＵＴの数を半分の２個にまで削減できる。
【００８０】
（６）市松状の視差バリア構造を持つ場合、図９に示すように同じ方向に提示される同色のサブ画素は斜め方向に最も隣接して位置していることから、斜め方向の解像度が高くなる。このように斜め方向の解像度が高い場合には、視聴者にとって斜め方向は先鋭に見えることになり、先鋭に見えるがためにクロストークの影響もよりはっきりと見える。そこで、斜め方向の解像度が高い場合には、斜め方向の光学的クロストーク補正を重点的にかける目的で、クロストークの影響を及ぼすサブ画素（すなわち補正に用いるサブ画素）として、周囲画素に含まれる斜め方向に位置する同色のサブ画素（合計８個）のみを用いてもよい。この場合、さらに、座標（ｘ，ｙ）のＧ色のサブ画素に対して左上方向にある座標（ｘ−１，ｙ−２）および座標（ｘ−２，ｙ−１）のＧ色のサブ画素の階調値の平均値を求め、この平均値に対して１つのＬＵＴを用いてもよい。右上、左下、右下方向についても同様の処理を行うことで、光学的クロストーク補正用ＬＵＴの数を４個に減らしてもよい。
【００８１】
さらに、下記（７）、（８）のようにＬＵＴを用いてもよい。
（７）サブ画素選択部１１１でクロストークの影響を与えるサブ画素を選択し、選択されたサブ画素の階調値を補正対象のサブ画素の階調値とともに各ＬＵＴへ入力する際、補正対象のサブ画素が提示される方向によって別々のＬＵＴに入力してもよい。すなわち、補正対象のサブ画素が提示される方向によって別々のＬＵＴを用いてもよい。
方向別画像表示装置では、製造上の問題や、製品の仕様によって提示方向を偏らせる場合がある。このような場合、上述のように補正対象のサブ画素が提示される方向によって用いるＬＵＴを変えることで、その方向に適した補正を行うことができる。
【００８２】
（８）同じＬＵＴであっても、補正対象のサブ画素が提示される方向によって、その階調値が入力されるサブ画素を変えてもよい。具体的には、あるＬＵＴについて、Ｌ方向へ提示されるサブ画素を補正する場合は該サブ画素の右方向に隣接するサブ画素の階調値を入力し、Ｒ方向へ提示されるサブ画素を補正する場合は該サブ画素の左方向に隣接するサブ画素の階調値を入力する。
例えば反射による光学的クロストークであれば、補正対象のサブ画素に対してクロストークの影響を与える反対方向へ提示されるサブ画素の位置は、視聴者が画面を見る方向によって逆になる。上述のように補正対象のサブ画素が提示される方向によって階調値がＬＵＴに入力されるサブ画素を変えることで、視聴方向によるクロストークの発生状況の違いを鑑みた補正を行うことができる。
【００８３】
実施の形態２．
図１４は、本発明の実施の形態２の画像表示装置に含まれるクロストーク補正部１４０の構成を示すブロック図である。本実施の形態の画像表示装置は、上記実施の形態１のものと殆ど同じであるので、以下の説明では、実施の形態１と同様の部分については、同一の符号を用い、説明を省略または簡略化することとする。
【００８４】
補正対象のサブ画素に対してクロストークの影響を与えるサブ画素には、電気的クロストークおよび光学的クロストークの両方の影響を与えるものがある。例えば、図６のサブ画素配列では、補正対象のサブ画素の上下に隣接するサブ画素は、該補正対象のサブ画素に対して電気的クロストークおよび光学的クロストークの両方の影響を及ぼす。
【００８５】
本実施の形態では、クロストーク補正部１４０は、図１４に示されるように、電気的クロストーク補正値生成部１１３および光学的クロストーク補正値生成部１１４に加えて、電気・光学的クロストーク補正値生成部１４１を有する。
【００８６】
電気・光学的クロストーク補正値生成部１４１は、サブ画素選択部１１１から、補正対象のサブ画素の階調値と、該サブ画素に電気的クロストークおよび光学的クロストークの両方の影響を与えるサブ画素の階調値とを受け、これらの階調値に基づいて電気的クロストークおよび光学的クロストークの両方を補正するための補正値を生成する。この補正値は、補正値加算部１１５に供給され、補正対象のサブ画素の階調値に加算される。
【００８７】
図１４の例では、電気・光学的クロストーク補正値生成部１４１は、補正対象のサブ画素に対して上下に隣接する合計２個のサブ画素に対応する合計２個の電気・光学的クロストーク補正用ＬＵＴ１４１−１〜１４１−２を有する。２個の電気・光学的クロストーク補正用ＬＵＴ１４１−１〜１４１−２は、それぞれ、補正対象のサブ画素の階調値と、該ＬＵＴに対応するサブ画素の階調値との組み合わせを補正値に変換し、補正値加算部１１５に出力する。
【００８８】
補正対象のサブ画素に対して上下に隣接するサブ画素による電気的クロストークおよび光学的クロストークは、上記電気・光学的クロストーク補正用ＬＵＴ１４１−１〜１４１−２の補正値により補正される。したがって、本実施の形態では、電気的クロストーク補正値生成部１１３は、実施の形態１の合計４個の電気的クロストーク補正用ＬＵＴ１１３−１〜１１３−４のうち、上下に隣接するサブ画素に対応する２個の電気的クロストーク補正用ＬＵＴ１１３−３〜１１３−４を除いた、合計２個の電気的クロストーク補正用ＬＵＴ１１３−１〜１１３−２を有する。また、光学的クロストーク補正値生成部１１４は、実施の形態１の合計１２個の光学的クロストーク補正用ＬＵＴ１１４−１〜１１４−１２のうち、上下に隣接するサブ画素に対応する２個の光学的クロストーク補正用ＬＵＴ１１４−１１〜１１４−１２を除いた、合計１０個の光学的クロストーク補正用ＬＵＴ１１４−１〜１１４−１０を有する。
【００８９】
補正値加算部１１５は、２個の電気的クロストーク補正用ＬＵＴ１１３−１〜１１３−２から出力される合計２個の補正値と、１０個の光学的クロストーク補正用ＬＵＴ１１４−１〜１１４−１０から出力される合計１０個の補正値と、２個の電気・光学的クロストーク補正用ＬＵＴ１４１−１〜１４１−２から出力される合計２個の補正値とを補正対象のサブ画素の階調値に加算して、クロストーク補正後の階調値を出力する。
【００９０】
以上の通り、本実施の形態では、クロストーク補正部は、補正対象のサブ画素の階調値と、該サブ画素に電気的クロストークおよび光学的クロストークの両方の影響を与えるサブ画素の階調値とに基づき、電気的クロストークおよび光学的クロストークの両方を補正するための補正値を生成する。このため、電気的クロストークおよび光学的クロストークの両方の影響を与えるサブ画素について電気的クロストークを補正するための補正値と光学的クロストークを補正するための補正値とを別々に生成する場合と比較して、補正値を生成するための情報の量を少なくすることが可能となる。具体的には、ＬＵＴの数を削減することができ、ＬＵＴの占有する容量を削減することができる。
【００９１】
実施の形態３．
図１５は、本発明の実施の形態３の画像表示装置１５０の構成を概略的に示すブロック図である。この画像表示装置１５０は、上記実施の形態１のものと殆ど同じであるので、以下の説明では、実施の形態１と同様の部分については、同一の符号を用い、説明を省略または簡略化することとする。
【００９２】
本実施の形態では、クロストーク補正部１５１は、画像表示装置１５０の温度または該画像表示装置１５０の周辺の温度によって、該クロストーク補正部１５１による補正の補正量を変更する。具体的には、クロストーク補正部１５１は、画像表示装置１５０またはその周辺の温度によって、サブ画素の階調値の組み合わせに対応する補正値を変更する。
【００９３】
図１５の例では、画像表示装置１５０は、温度センサ１５２とＡ／Ｄコンバータ１５３とを有する。温度センサ１５２は、画像表示装置１５０またはその周辺の温度を検出し、該温度を示すアナログ信号をＡ／Ｄコンバータ１５３に出力する。Ａ／Ｄコンバータ１５３は、温度センサ１５２からのアナログ信号をデジタル信号である温度情報Ｔに変換して、クロストーク補正部１５１に供給する。クロストーク補正部１５１は、温度情報Ｔに応じてクロストーク補正の補正量を変更する。
【００９４】
図１６は、実施の形態３のクロストーク補正部１５１の構成の一例を示すブロック図である。図１６において、クロストーク補正部１５１は、ＬＵＴデータ格納部１６１およびＬＵＴ制御部１６２を有する。
【００９５】
ＬＵＴデータ格納部１６１は、クロストーク補正部１５１の各ＬＵＴについて、該ＬＵＴにより示されるサブ画素の階調値と補正値との対応関係を変更するためのデータを記憶している。具体的には、ＬＵＴデータ格納部１６１は、各ＬＵＴについて、各温度に対応するＬＵＴデータ（サブ画素の階調値と補正値との対応関係を示す変換テーブルを表すデータ）を記憶している。ＬＵＴデータ格納部１６１は、具体的には、ＥＥＰＲＯＭ（Electrically Erasable and Programmable Read Only Memory）などの不揮発性の記憶媒体で構成される。
【００９６】
ＬＵＴ制御部１６２は、画像表示装置１５０またはその周辺の温度を示す温度情報Ｔを受け、該温度情報Ｔに応じて、クロストーク補正部１５１の各ＬＵＴについて、該ＬＵＴにより示されるサブ画素の階調値と補正値との対応関係を変更する。具体的には、ＬＵＴ制御部１６２は、ＬＵＴデータ格納部１６１から温度情報Ｔに対応する各ＬＵＴのＬＵＴデータを読み出し、該各ＬＵＴデータに基づいて各ＬＵＴの書き換えを行う。
【００９７】
このように、本実施の形態では、クロストーク補正部１５１は、画像表示装置の温度または該画像表示装置の周辺の温度によってクロストーク補正の補正量を変更する。これにより、画像表示装置またはその周辺の温度に応じた適切なクロストーク補正を行うことができる。具体的には、温度情報に応じてクロストーク補正処理における補正値を調整することにより、温度によって画像表示装置の特性が変わり、クロストークの発生状況が変わっても、それに追随して正確なクロストーク補正を行うことができる。すなわち、画像表示装置において温度によってガンマカーブ等が変化するのと同様、電気的クロストークおよび光学的クロストークの発生状況が変化することに対応可能となり、クロストークによる二重像が視認されにくくなる。
【００９８】
なお、上記の説明では、ＬＵＴ制御部１６２がＬＵＴ格納部１６１からＬＵＴデータを読み出す構成を例示したが、ＬＵＴ制御部１６２が画像表示装置１５０のマイコン（図示しない）で演算により生成されたＬＵＴデータを受け取る構成としてもよい。このような構成では、ＬＵＴ格納部１６１は省略されてもよい。
【００９９】
また、上記の説明では、ＬＵＴの書き換えにより温度変化に対応する構成を例示したが、クロストーク補正部１５１が、異なる温度に対応する複数個のＬＵＴを有し、温度情報Ｔで示される温度に対応するＬＵＴが存在する場合には該ＬＵＴにより補正値を求め、該温度に対応するＬＵＴが存在しない場合には補間により補正値を求める構成としてもよい。例えば、クロストーク補正部１５１は、０℃用のＬＵＴと３０℃用のＬＵＴとを有し、温度情報Ｔが０℃または３０℃を示す場合には、０℃用のＬＵＴまたは３０℃用のＬＵＴを用いて補正値を求め、温度情報Ｔが０℃と３０℃の間の温度（例えば１５℃）を示す場合には、上記２つのＬＵＴから得られる補正値から該温度（例えば１５℃）に対応する補正値を補間により求めてもよい。
【０１００】
また、上記の説明では、クロストーク補正部の各ＬＵＴを変更する構成を例示したが、光学的クロストーク補正用ＬＵＴだけを変更するなど、クロストーク補正部の一部のＬＵＴだけを変更する構成としてもよい。
【０１０１】
また、本実施の形態の構成、すなわち温度によって補正量を変更する構成は、実施の形態２の画像表示装置に適用されてもよい。この場合、クロストーク補正部は、電気・光学的クロストーク補正用ＬＵＴの書き換えなど、電気的クロストークおよび光学的クロストークの両方を補正するための補正値の変更を行う。
【０１０２】
実施の形態４．
図１７は、本発明の実施の形態４の画像表示装置１７０の構成を概略的に示すブロック図である。この画像表示装置１７０は、上記実施の形態１のものと殆ど同じであるので、以下の説明では、実施の形態１と同様の部分については、同一の符号を用い、説明を省略または簡略化することとする。
【０１０３】
本実施の形態では、表示部５は、液晶パネルなどのサブ画素配列を背面から照らすバックライトを有する液晶表示装置である。
【０１０４】
バックライトの発光の度合いは、各サブ画素の発光の度合いと直接関わっている。また、各サブ画素の発光の度合いは、光学的クロストークの発生の度合いと密接に関わっていると言える。例えば、図４および図５において、サブ画素の発光が強いほど回折や反射による光漏れも大きくなる。逆に、サブ画素の発光が弱くなれば回折や反射による光漏れも小さくなる。
【０１０５】
そこで、本実施の形態では、クロストーク補正部１７１は、表示部５のバックライトの発光量に応じて、クロストーク補正部１７１による補正の補正量を変更する。具体的には、クロストーク補正部１７１は、表示部５のバックライトの発光量に応じて、サブ画素の階調値の組み合わせに対応する補正値を変更する。
【０１０６】
上記バックライトの発光量は、例えば、画像表示装置１７０によって制御されることにより変化する。図１７の例では、画像表示装置１７０は、平均輝度算出部１７２およびバックライト調整信号生成部１７３を有する。
【０１０７】
平均輝度算出部１７２は、画像信号Ｇの入力を受け、該画像信号Ｇの平均輝度を算出する。具体的には、平均輝度算出部１７２は、画像信号ＧのＲＧＢ階調値をＹＣｂＣｒ座標値に変換した時の輝度値Ｙの平均値を平均輝度として求める。
【０１０８】
バックライト調整信号生成部１７３は、平均輝度算出部１７２で算出された画像信号Ｇの平均輝度に応じて、例えばＰＷＭ（Pulse Width Modulation）信号であるバックライト調整信号を生成する。表示部５は、バックライト調整信号生成部１７３で生成されたバックライト調整信号に基づいてバックライトの発光度合いを調整する。
【０１０９】
このような制御により、例えば表示部５において黒の領域が多く平均輝度が低い画像を表示する場合、バックライト調整信号を調整してバックライトの発光を弱めることで、より引き締まった黒を表現することが可能になる。
【０１１０】
クロストーク補正部１７１は、画像信号Ｇに加え、バックライト信号生成部１７３からのバックライト調整信号を受け取り、該バックライト調整信号に基づいてクロストーク補正を行う。
【０１１１】
図１８は、実施の形態４のクロストーク補正部１７１の構成の一例を示すブロック図である。図１８において、クロストーク補正部１７１は、補正値調整部１８０を有する。
【０１１２】
補正値調整部１８０は、クロストーク補正部１７１の光学的クロストーク補正用ＬＵＴ１１４−１〜１１４−１２から出力される補正値を、バックライト調整信号に応じて調整し、調整後の補正値を補正値加算部１１５に出力する。例えば、補正値調整部１８０は、上記ＬＵＴからの補正値にバックライト調整信号に応じた係数を掛けることにより、調整後の補正値を得る。補正値調整部１８０は、例えば、バックライトの発光が強くなるほど調整後の補正値の絶対値が大きくなるように補正値の調整を行う。
【０１１３】
以上の通り、本実施の形態では、バックライトの発光量に応じて、クロストーク補正部による補正の補正量を変更する。これにより、バックライトの発光量に応じた適切なクロストーク補正を行うことができる。具体的には、バックライトの発光度合いの変化によってクロストークの発生状況が変わっても、それに追随して正確なクロストーク補正を行うことができる。これにより、クロストークによる二重像が視認されにくくなる。
【０１１４】
なお、上記の説明では、バックライトの発光量に応じて特に調整する必要があるのは光学的クロストークを補正するための補正値であることから、光学的クロストーク補正用ＬＵＴの補正値を変更する構成を例示した。ただし、電気的クロストークについてもサブ画素の発光度合いと関係がある場合も考えられ、クロストーク補正部は、電気的クロストーク補正用ＬＵＴの補正値をバックライトの発光量に応じて変更してもよい。
【０１１５】
また、本実施の形態の構成、すなわちバックライトの発光量に応じて補正量を変更する構成は、実施の形態２または３の画像表示装置に適用されてもよい。実施の形態２の画像表示装置に適用された場合、クロストーク補正部は、電気・光学的クロストーク補正用ＬＵＴから出力される補正値の調整など、電気的クロストークおよび光学的クロストークの両方を補正するための補正値の変更を行う。
【０１１６】
実施の形態５．
本実施の形態では、画像の表示方向によりクロストークの発生状況が異なる場合にも、それぞれの方向に適した処理を行うことで、クロストークを視認されにくくする装置または方法について説明する。
【０１１７】
図１９は、本発明の実施の形態５の画像表示装置１９０の構成を概略的に示すブロック図である。この画像表示装置１９０は、上記実施の形態１のものと類似するので、以下の説明では、実施の形態１と同様の部分については、同一の符号を用い、説明を省略または簡略化することとする。
【０１１８】
図１９において、画像表示装置１９０は、入力端子１、クロストーク補正部１９１、階調変換部３、タイミング信号生成部４、および表示部１９２を備えている。
【０１１９】
入力端子１、階調変換部３、およびタイミング信号生成部４は、それぞれ実施の形態１のものと同様である。
【０１２０】
表示部１９２は、実施の形態１の表示部５と略同様のものであり、第１および第２の画像をそれぞれ第１および第２の方向に表示する。ただし、本実施の形態では、表示部１９２は、画像の表示方向によりクロストークの発生状況が異なる特性を有する。例えば、表示部１９２は、第１の方向と第２の方向とで異なる（または非対称な）光学特性（例えば輝度特性）を有する。具体的には、表示部１９２は、第１および第２の画像をそれぞれ異なる非対称な方向へ表示するように構成されている。
【０１２１】
クロストーク補正部１９１は、実施の形態１のクロストーク補正部２と略同様のものであり、第１および第２の画像が合成された画像の各サブ画素の階調値を表す画像信号Ｇを受け付け、該画像信号Ｇのサブ画素の階調値を、第１および第２の画像間のクロストークが視認されにくくなるように補正する。ただし、本実施の形態では、クロストーク補正部１９１は、補正対象のサブ画素の階調値に対する補正量を、該サブ画素が表示される方向により変更する。
【０１２２】
図２０は、画像表示装置１９０の利用形態の一例を示す図である。図２０には、画像表示装置１９０が自動車２０６に用いられた場合が示されている。自動車２０６の室内には、運転席２００、助手席２０１、および画像表示装置１９０の表示部１９２が配置されている。
【０１２３】
図２０において、破線２０５は、自動車２０６の室内の左右方向の中心線を示し、運転席２００および助手席２０１は、破線２０５を挟んで左右対称な位置にある。表示部１９２は、自動車室内のデザイン等の事情により、破線２０５に対し運転席２００寄りに設置されている。このため、運転席２００から表示部１９２を見た時の角度（具体的には、運転席２００から表示部１９２の表示面を見た時の視線方向と、表示部１９２の表示面を正面から見た時の視線方向とのなす角度）２０３と、助手席２０１から表示部１９２を見た時の角度（具体的には、助手席２０１から表示部１９２の表示面を見た時の視線方向と、表示部１９２の表示面を正面から見た時の視線方向とのなす角度）２０４とが異なる。このため、表示部１９２は、第１および第２の画像、すなわち運転席２００の人物へ提示される画像および助手席２０１の人物へ提示される画像を、左右非対称な方向へ表示するように構成される。
【０１２４】
図２１は、第１および第２の画像をそれぞれ異なる非対称な方向へ表示する表示部１９２の構造の一例を示す図である。図２１において、表示部１９２は、バックライト２１、液晶パネル２２、および視差バリア２１３を有する。右側の視聴者２１０は運転席２００の位置から、左側の視聴者２１１は助手席２０１の位置から表示部１９２を見ているものとする。また、比較のため、図２１では、図２に示される視差バリア２３の位置が破線２１２により示されている。
【０１２５】
図２では、左側の視聴者２４および右側の視聴者２５は、液晶パネル２２に対し対称な方向にいることを想定して描かれていた。図２１では、視差バリアが破線２１２の位置にあった場合、左側の視聴者２１１から液晶パネル２２を見た場合、本来見えるべき画像の一部が視差バリアにより遮蔽されてしまう。これを防ぐため、図２１では、破線２１２の位置から左側へずれた位置に視差バリア２１３が配置されている。
【０１２６】
なお、図２１では、視差バリアの位置を調整することで第１および第２の画像を左右非対称な方向へ表示する例を示したが、第１および第２の画像を左右非対称な方向へ表示する構成は、他の態様で実現されてもよい。例えば、レンチキュラレンズの構造を左右の表示方向に合わせて調整することで実現されてもよいし、視差バリアに対する液晶のカラーフィルタの開口部の位置を各サブ画素の表示方向に合わせて調整することで実現されてもよい。
【０１２７】
図２２（ａ）は、上記のような、第１および第２の画像を左右非対称な方向へ表示する表示部１９２の輝度の分布を示す。図２２（ｂ）は、第１および第２の画像を左右対称な方向へ表示する表示部の輝度の分布を示す。
【０１２８】
図２３は、図２２（ａ）および図２２（ｂ）に示される輝度の分布の測定方法を示す図である。図２３には、測定対象の表示部の表示面２３０と、該表示部の輝度を測定する輝度計２３１とが示されている。表示部の輝度の分布は、輝度計２３１の受光部２３２を表示面２３０の特定の点（例えば中心点）２３３に向けながら、輝度計２３１の位置を矢印２３４のように左右方向に動かして、表示部の輝度を各方向から輝度計２３１で測定することにより得られる。図２３では、表示面２３０の真正面に位置する輝度計２３１が実線で示されており、表示面２３０の真正面よりも左側および右側に位置する輝度計２３１が一点鎖線で示されている。輝度計２３１を左右に動かす際、表示面２３０に対する輝度計２３１の光軸２３５の垂直方向の角度は一定に固定され、例えば光軸２３５は水平に維持される。また、輝度計２３１の受光部２３２から表示面２３０までの距離は、一定に維持される。
【０１２９】
図２２（ａ）および図２２（ｂ）において、横軸は測定方向（例えば表示面２３０の法線に対する輝度計２３１の光軸２３５の角度）を示し、縦軸は輝度を示す。
【０１３０】
図２２（ｂ）では、測定方向２２１および測定方向２２２において輝度のピークが表れており、これらの方向はそれぞれ第１および第２の画像を表示する方向を示している。測定方向２２１および測定方向２２２は、正面を挟んで左右対称な位置にあり、それぞれの測定方向におけるピーク輝度２２３は、略等しくなっている。なお、正面から見た時の輝度が低いのは、視差バリア等の構造に起因するものである。
【０１３１】
これに対し、図２２（ａ）では、輝度のピークが表れる測定方向２２４および測定方向２２５は、正面を挟んで左右に非対称な位置にある。これは、第１および第２の画像を非対称な方向へ表示していることを示している。例えば、表示部１９２は、方向２２４が運転席２００から表示部１９２の表示面を見る時の方向と一致し、方向２２５が助手席２０１から表示部１９２の表示面を見る時の方向と一致するように構成される。
【０１３２】
また、図２２（ａ）では、測定方向２２４におけるピーク輝度２２６と、測定方向２２５におけるピーク輝度２２７との間にも差がある。これは、一般に、バックライトは正面において最も明るく、測定方向が正面からずれるほど暗くなるためであり、ピーク輝度が現れる測定方向が正面に近いほど、計測される輝度は高くなる傾向がある。ただし、バックライトに指向性を持たせることで、ピーク輝度の差は小さくすることが可能である。
以上のように、表示部１９２は、第１および第２の画像をそれぞれ該表示部１９２の表示面に対して左側および右側の方向に表示するものであって、表示面に対して左右非対称な輝度特性を持つ。
【０１３３】
なお、ここでは第１および第２の画像を左右に非対称な方向へ提示する場合について説明したが、それ以外にも第１の画像が見える方向の範囲と第２の画像が見える方向の範囲に差を付ける場合でも、表示部の輝度特性が左右非対称となる。
【０１３４】
以上で示した表示部１９２の左右非対称な光学特性により、表示部１９２で発生する光学的クロストークも左右方向で非対称になる。これに対応するため、クロストーク補正部１９１は、補正対象のサブ画素が表示される方向により、異なる補正量を適用するように構成される。例えば、クロストーク補正部１９１は、補正対象のサブ画素の階調値を該サブ画素の周囲のサブ画素の階調値に応じた補正値を用いて補正する場合に、補正対象のサブ画素が表示される方向により上記補正値を変更する。ここで、補正対象のサブ画素の周囲のサブ画素としては、例えば、補正対象のサブ画素が含まれる画素に隣接する画素（隣接画素）に含まれるサブ画素や、該隣接画素の周囲の画素（周囲画素）に含まれるサブ画素がある。
【０１３５】
図２４は、クロストーク補正部１９１の構成の一例を示すブロック図である。図２４の例では、クロストーク補正部１９１は、補正対象のサブ画素が表示される方向により、クロストーク補正に用いられるＬＵＴを変更するように構成されている。図２４において、クロストーク補正部１９１は、サブ画素選択部１１１と、補正部１１２とを備える。補正部１１２は、電気的クロストーク補正値生成部１１３、左方向表示サブ画素用光学的クロストーク補正値生成部（以下、「左方向用光学的クロストーク補正値生成部」と称す）２４０、右方向表示サブ画素用光学的クロストーク補正値生成部（以下、「右方向用光学的クロストーク補正値生成部」と称す）２４１、補正値セレクタ２４２、および補正値加算部１１５を有する。
【０１３６】
サブ画素選択部１１１は、実施の形態１と同様のものであり、画像信号Ｇから補正対象のサブ画素の階調値と、該サブ画素にクロストークの影響を与えるサブ画素の階調値とを選択する。具体的には、サブ画素選択部１１１は、補正対象のサブ画素の階調値と、該サブ画素に電気的クロストークの影響を与えるサブ画素の階調値とを選択して電気的クロストーク補正値生成部１１３に出力する。また、サブ画素選択部１１１は、補正対象のサブ画素の階調値と、該サブ画素に光学的クロストークの影響を与えるサブ画素の階調値とを選択して、左方向用光学的クロストーク補正値生成部２４０および右方向用光学的クロストーク補正値生成部２４１に出力する。
【０１３７】
電気的クロストーク補正値生成部１１３は、実施の形態１と同様のものであり、補正対象のサブ画素の階調値と、該サブ画素に電気的クロストークの影響を与えるサブ画素の階調値とに基づき、電気的クロストークを補正するための補正値を生成し、補正値加算部１１５に出力する。図２４の例では、電気的クロストーク補正値生成部１１３は、図１１と同様に、４個の電気的クロストーク補正用ＬＵＴ１１３−１〜１１３−４を有する。
【０１３８】
左方向用光学的クロストーク補正値生成部２４０および右方向用光学的クロストーク補正値生成部２４１は、それぞれ、補正対象のサブ画素の階調値と、該サブ画素に光学的クロストークの影響を与えるサブ画素の階調値とに基づき、光学的クロストークを補正するための補正値を生成する。また、左方向用光学的クロストーク補正値生成部２４０および右方向用光学的クロストーク補正値生成部２４１は、互いに異なるＬＵＴを有し、それぞれ、左方向に表示されるサブ画素用の補正値である左用補正値、および右方向に表示されるサブ画素用の補正値である右用補正値を生成する。
【０１３９】
図２４の例では、左方向用光学的クロストーク補正値生成部２４０は、図９に示される合計１２個の光学的クロストークの影響を与えるサブ画素に対応する合計１２個の左方向用光学的クロストーク補正用ＬＵＴ２４０−１〜２４０−１２を有する。１２個の左方向用光学的クロストーク補正用ＬＵＴ２４０−１〜２４０−１２は、それぞれ、補正対象のサブ画素の階調値と、該ＬＵＴに対応するサブ画素の階調値との組み合わせを補正値に変換し、該補正値を左用補正値として補正値セレクタ２４２に出力する。同様に、右方向用光学的クロストーク補正値生成部２４１は、図９に示される合計１２個の光学的クロストークの影響を与えるサブ画素に対応する合計１２個の右方向用光学的クロストーク補正用ＬＵＴ２４１−１〜２４１−１２を有する。１２個の右方向用光学的クロストーク補正用ＬＵＴ２４１−１〜２４１−１２は、それぞれ、補正対象のサブ画素の階調値と、該ＬＵＴに対応するサブ画素の階調値との組み合わせを補正値に変換し、該補正値を右用補正値として補正値セレクタ２４２に出力する。
【０１４０】
補正値セレクタ２４２は、サブ画素選択部１１１で選択された補正対象のサブ画素の表示方向に応じ、左方向用光学的クロストーク補正値生成部２４０の出力、および右方向用光学的クロストーク補正値生成部２４１の出力の一方を選択し、補正値加算部１１５に出力する。例えば、第１の画像が左方向に表示され、第２の画像が右方向に表示される場合、補正値セレクタ２４２は、補正対象のサブ画素が第１の画像のサブ画素であるときには、左方向用光学的クロストーク補正値生成部２４０により生成された左用補正値を出力し、補正対象のサブ画素が第２の画像のサブ画素であるときには、右方向用光学的クロストーク補正値生成部２４１により生成された右用補正値を出力する。
【０１４１】
補正対象のサブ画素の表示方向は、該サブ画素の座標（ｘ，ｙ）および表示部１９２の構造により一意に決まる。したがって、例えば、補正値セレクタ２４２は、補正値の入力とともに座標カウンタをカウントアップし、該座標カウンタから補正対象のサブ画素の表示方向を知ることが可能である。
【０１４２】
補正値加算部１１５は、実施の形態１のものと同様であり、電気的クロストーク補正値生成部１１３から出力される補正値と、補正値セレクタ２４２から出力される補正値とを補正対象のサブ画素の階調値に加算して、補正対象のサブ画素のクロストーク補正後の階調値を出力する。
【０１４３】
本実施の形態５の画像表示装置１９０の動作は、図１２に示される実施の形態１の画像表示装置１００の動作と略同様である。ただし、本実施の形態では、画像表示装置１９０は、図１２のステップＳ２において、補正対象のサブ画素の階調値に対する補正量を、該サブ画素が表示される方向により変更する。
【０１４４】
図２５は、実施の形態５の画像表示装置１９０のクロストーク補正処理を示すフローチャートである。図２５に示される処理は、図１２のステップＳ２において実行されるものである。
【０１４５】
画像表示装置１９０は、画像信号Ｇから、補正対象のサブ画素の階調値と、該サブ画素にクロストークの影響を与えるサブ画素の階調値（すなわち補正に用いるサブ画素の階調値）とを選択する（Ｓ２５１）。
【０１４６】
ついで、画像表示装置１９０は、ステップＳ２５１で選択された階調値に基づいて、電気的クロストーク補正用の補正値と、光学的クロストーク補正用の左用補正値および右用補正値とを生成する（Ｓ２５２）。
【０１４７】
ついで、画像表示装置１９０は、補正対象のサブ画素の表示方向が左方向か右方向かを判断する（Ｓ２５３）。
【０１４８】
そして、左方向と判断された場合には（Ｓ２５３：左方向）、画像表示装置１９０は、ステップＳ２５１で選択された補正対象のサブ画素の階調値を、ステップＳ２５２で生成された電気的クロストーク補正用の補正値と光学的クロストーク補正用の左用補正値とに基づいて補正する（Ｓ２５４）。
【０１４９】
一方、右方向と判断された場合には（Ｓ２５３：右方向）、画像表示装置１９０は、ステップＳ２５１で選択された補正対象のサブ画素の階調値を、ステップＳ２５２で生成された電気的クロストーク補正用の補正値と光学的クロストーク補正用の右用補正値とに基づいて補正する（Ｓ２５５）。
【０１５０】
ところで、画像の表示方向によりクロストークの発生状況が異なる場合、補正対象のサブ画素に対してクロストークの影響を与えるサブ画素の位置や範囲が、画像の表示方向により異なる場合がある。例えば、表示部１９２で発生する光学的クロストークが左右方向で非対称に発生する場合、一方の側の光学的クロストークが及ぶ範囲が他方の側よりも広くなる場合がある。例えば、一方の画像をより正面に近い方向へ表示する場合においては、視差バリアのスリットに対して浅い角度から画像を見ることになるために光の回折の影響を受けやすくなり、一方の画像のサブ画素は、他方の画像のサブ画素より広範囲のサブ画素から光学的クロストークの影響を受ける。また、一方の画像を正面から左または右に大きくずれた方向へ表示する場合、正面からずれるほど表示される画像の輝度が下がってしまうため、相対的に光学的クロストークの影響が視認されやすくなり、一方の画像のサブ画素は、他方の画像のサブ画素より広範囲のサブ画素から光学的クロストークの影響を受ける。例えば、他方の画像については周囲画素からのクロストークの影響を無視できるが、一方の画像については周囲画素からのクロストークの影響を無視できない場合がある。このような場合、一方の画像については、隣接画素だけでなく周囲画素に含まれるサブ画素の階調値を用いて光学的クロストークの補正を行うことで、よりクロストークを視認されにくくすることが可能である。
【０１５１】
以上のようなことから、一つの態様では、クロストーク補正部１９１は、補正対象のサブ画素の階調値を該サブ画素の周囲のサブ画素の階調値を用いて補正する場合に、該補正対象のサブ画素が表示される方向により、上記補正に用いられるサブ画素を変更する。具体的には、クロストーク補正部１９１は、補正対象のサブ画素が表示される方向により、該サブ画素に対して異なる位置または範囲にあるサブ画素の階調値を用いて補正を行う。例えば、第１の画像のサブ画素に対してクロストークの影響を与えるサブ画素の範囲が、第２の画像のサブ画素に対してクロストークの影響を与えるサブ画素の範囲よりも広い場合、クロストーク補正部１９１は、第１の画像のサブ画素の階調値を補正する際に、第２の画像のサブ画素の階調値を補正するときよりも広い範囲のサブ画素の階調値を補正に用いる。例えば、クロストーク補正部１９１は、第２の画像のサブ画素の階調値の補正には隣接画素のサブ画素のみを用い、第１の画像のサブ画素の階調値の補正には隣接画素および周囲画素のサブ画素を用いる。
【０１５２】
当該態様では、例えば、サブ画素選択部１１１は、クロストークの影響を与えるサブ画素の階調値を選択する際に、補正対象のサブ画素の表示方向により、その選択を変更する。具体的には、サブ画素選択部１１１は、補正対象のサブ画素の表示方向により、該補正対象のサブ画素に対して異なる位置または範囲にあるサブ画素の階調値を選択する。
【０１５３】
また、当該態様では、左方向用光学的クロストーク補正値生成部２４０および右方向用光学的クロストーク補正値生成部２４１は、それぞれ供給される階調値に応じた個数のＬＵＴを有し、互いに異なる個数のＬＵＴを有してもよい。左方向に表示されるサブ画素の階調値が補正対象である場合には、右方向用光学的クロストーク補正値生成部２４１に対する階調値の供給は、ＬＵＴに対して不足または過剰となる場合がある。この場合、右方向用光学的クロストーク補正値生成部２４１は、例えば、過剰な階調値を無視したり、不足する階調値の代わりに予め決められた値を用いたりすることにより、補正値を生成することができる。同様に、右方向に表示されるサブ画素の階調値が補正対象である場合、左方向用光学的クロストーク補正値生成部２４０は、過剰な階調値を無視したり、不足する階調値を予め決められた値で補ったりすることにより、補正値を生成することができる。
【０１５４】
図２６は、クロストークの影響を与えるサブ画素の階調値の選択を表示方向によって変更する際のサブ画素選択部１１１の処理を示すフローチャートである。この処理は、例えば図２５のステップＳ２５１において実行される。図２６には、左方向に表示されるサブ画素と比較して、右方向に表示されるサブ画素の方が、より広範囲のサブ画素から光学的クロストークの影響を受ける場合の処理が例示されている。
【０１５５】
サブ画素選択部１１１は、補正対象のサブ画素の表示方向を取得する（Ｓ２６１）。この場合、サブ画素選択部１１１は、上述の補正値セレクタ２４２と同様に、補正対象のサブ画素の階調値の出力とともに座標カウンタをカウントアップするなどして、補正対象のサブ画素の表示方向を知ることが可能である。
【０１５６】
ついで、サブ画素選択部１１１は、ステップＳ２６１で取得された表示方向が左方向か右方向かを判断する（Ｓ２６２）。
【０１５７】
そして、左方向と判断された場合には（Ｓ２６２：左方向）、サブ画素選択部１１１は、補正対象のサブ画素が含まれる画素の隣接画素に含まれるサブ画素の階調値を選択し、補正に用いるサブ画素の階調値として左方向用光学的クロストーク補正値生成部２４０および右方向用光学的クロストーク補正値生成部２４１に出力する（Ｓ２６３）。例えば、図９における座標（ｘ，ｙ）のＲ方向のＧ色のサブ画素が補正対象である場合、サブ画素選択部１１１は、図９に示される、座標（ｘ，ｙ）の画素に対する隣接画素に含まれる、該サブ画素と異なるＬ方向に表示される、該サブ画素と同じＧ色の合計４個のサブ画素の階調値を選択して出力する。
【０１５８】
一方、右方向と判断された場合には（Ｓ２６２：右方向）、サブ画素選択部１１１は、補正対象のサブ画素が含まれる画素の隣接画素および周囲画素に含まれるサブ画素の階調値を選択し、補正に用いるサブ画素の階調値として左方向用光学的クロストーク補正値生成部２４０および右方向用光学的クロストーク補正値生成部２４１に出力する（Ｓ２６４）。例えば、図９における座標（ｘ，ｙ）のＲ方向のＧ色のサブ画素が補正対象である場合、サブ画素選択部１１１は、図９に示される、座標（ｘ，ｙ）の画素に対する隣接画素および周囲画素に含まれる、該サブ画素と異なるＬ方向に表示される、該サブ画素と同じＧ色の合計１２個のサブ画素の階調値を選択して出力する。
【０１５９】
以上の通り、本実施の形態では、クロストーク補正部は、補正対象のサブ画素の階調値に対する補正量を、該サブ画素が表示される方向により変更する。このため、本実施の形態によれば、画像の表示方向によりクロストークの発生状況が異なる場合にも、それぞれの方向に適したクロストーク補正を行うことができ、クロストークを視認されにくくすることができる。例えば、表示部により第１および第２の画像がそれぞれ異なる非対称な方向へ表示される場合でも、それぞれの方向において適切なクロストーク補正を行うことができる。具体的には、同一の表示画面において複数の画像をそれぞれ異なる方向に表示する方向別画像又は立体画像表示装置では、装置の設置位置や視聴者が表示画面を見る位置等の事情によって、表示装置に対して非対称な方向へそれぞれの画像を表示したい場合がある。このような場合、液晶表示装置および視差光学素子の一方または双方を非対称な方向に合わせる必要が生じ、その結果、それぞれの画像の表示方向によりクロストークの発生状態が違ってくる場合がある。本実施の形態によれば、このような場合でも、それぞれの方向に適したクロストーク補正を行うことができ、クロストークを視認されにくくすることができる。
【０１６０】
また、クロストーク補正部は、補正対象のサブ画素の階調値を該サブ画素の周囲のサブ画素の階調値に応じた補正値を用いて補正し、該補正対象のサブ画素が表示される方向により上記補正値を変更する。本態様によれば、補正対象のサブ画素に対する周囲のサブ画素からのクロストークの影響の大きさが画像の表示方向により異なる場合に、それぞれの方向に適したクロストーク補正を行うことができる。
【０１６１】
また、クロストーク補正部は、補正対象のサブ画素の階調値を該サブ画素の周囲のサブ画素の階調値を用いて補正し、該補正対象のサブ画素が表示される方向により、上記補正に用いられるサブ画素を変更する。本態様によれば、補正対象のサブ画素に対してクロストークの影響を与えるサブ画素の位置や範囲が画像の表示方向により異なる場合に、それぞれの方向に適したクロストーク補正を行うことができる。
【０１６２】
なお、上記の説明では、主に、補正対象のサブ画素の表示方向により光学的クロストーク補正の補正量を変更する構成を示したが、クロストーク補正部は、補正対象のサブ画素の表示方向により電気的クロストーク補正の補正量を変更してもよい。例えば、図２４の例では、光学的クロストーク補正値生成部のみを左方向表示サブ画素用と右方向表示サブ画素用とに分けたが、例えば表示部１９２の左右非対称な光学特性により、電気的クロストークの影響も左右非対称になる場合、電気的クロストーク補正値生成部１１３についても同様に方向別に分けてもよい。
【０１６３】
また、上記の説明では、左用補正値および右用補正値の両方を生成した後に、補正対象のサブ画素の表示方向に応じて左用補正値および右用補正値のうちの一方を選択して使用する構成を例示したが、補正対象のサブ画素の表示方向に応じて左用補正値および右用補正値の何れか一方のみを生成して使用する構成であってもよい。例えば、左方向に表示されるサブ画素が補正対象である場合には、サブ画素選択部１１１から右方向用光学的クロストーク補正値生成部２４１への階調値の供給や、右方向用光学的クロストーク補正値生成部２４１による右用補正値の生成は省略されてもよい。
【０１６４】
また、補正対象のサブ画素の表示方向により補正に用いるサブ画素の階調値の数が異なる態様では、数が多い方のうちのいくつかのサブ画素の階調値の平均を算出することで、補正に用いるサブ画素の階調値の数を減らし、補正に用いるサブ画素の階調値の数を表示方向間で揃えることが可能である。このようにすることで、補正値を算出するＬＵＴの数を減らすことや、ＬＵＴの数を表示方向間で揃えることが可能となる。
また、上記実施の形態５の構成は、実施の形態２〜４の構成と組み合わされてもよい。
【０１６５】
以上説明した実施の形態１〜５では、本発明の画像処理装置は、クロストーク補正部により実現されている。ただし、画像処理装置は、上記画像表示装置のうちクロストーク補正部以外の部分を含んでもよい。画像処理装置の機能は、一つの態様ではハードウェア回路により実現されるが、ハードウェア資源とソフトウェアとの協働により実現されてもよい。具体的には、画像処理装置の機能は、画像処理プログラムがコンピュータにより実行されることによって実現されてもよい。より具体的には、画像処理装置の機能は、ＲＯＭ（Read Only Memory）等の記録媒体に記録された画像処理プログラムが主記憶装置に読み出されて中央処理装置（CPU: Central Processing Unit）により実行されることによって実現されてもよい。画像処理プログラムは、光ディスク等のコンピュータ読み取り可能な記録媒体に記録されて提供されてもよいし、インターネット等の通信回線を介して提供されてもよい。
【符号の説明】
【０１６６】
１  入力端子、  ２，１４０，１５１，１７１，１９１  クロストーク補正部、  ３  階調変換部、  ４  タイミング信号生成部、  ５，１９２  表示部、  ２１  バックライト、  ２２  液晶パネル、  ２３，２１３  視差バリア、  １００，１５０，１７０，１９０  画像表示装置、  １１１  サブ画素選択部、  １１２  補正部、  １１３  電気的クロストーク補正値生成部、  １１３−１〜１１３−４  電気的クロストーク補正用ＬＵＴ、  １１４  光学的クロストーク補正値生成部、  １１４−１〜１１４−１２  光学的クロストーク補正用ＬＵＴ、  １１５  補正値加算部、  １４１  電気・光学的クロストーク補正値生成部、  １４１−１〜１４１−２  電気・光学的クロストーク補正用ＬＵＴ、  １５２  温度センサ、  １５３  Ａ／Ｄコンバータ、  １６１  ＬＵＴデータ格納部、  １６２  ＬＵＴ制御部、  １７２  平均輝度算出部、  １７３  バックライト調整信号生成部、  １８０  補正値調整部、  ２４０  左方向用光学的クロストーク補正値生成部、  ２４０−１〜２４０−１２  左方向用光学的クロストーク補正用ＬＵＴ、  ２４１  右方向用光学的クロストーク補正値生成部、  ２４１−１〜２４１−１２  右方向用光学的クロストーク補正用ＬＵＴ、  ２４２  補正値セレクタ。
【図１】
2012070444.tif 000003
【図２】
2012070444.tif 000004
【図３】
2012070444.tif 000005
【図４】
2012070444.tif 000006
【図５】
2012070444.tif 000007
【図６】
2012070444.tif 000008
【図７】
2012070444.tif 000009
【図８】
2012070444.tif 000010
【図９】
2012070444.tif 000011
【図１０】
2012070444.tif 000012
【図１１】
2012070444.tif 000013
【図１２】
2012070444.tif 000014
【図１３】
2012070444.tif 000015
【図１４】
2012070444.tif 000016
【図１５】
2012070444.tif 000017
【図１６】
2012070444.tif 000018
【図１７】
2012070444.tif 000019
【図１８】
2012070444.tif 000020
【図１９】
2012070444.tif 000021
【図２０】
2012070444.tif 000022
【図２１】
2012070444.tif 000023
【図２２】
2012070444.tif 000024
【図２３】
2012070444.tif 000025
【図２４】
2012070444.tif 000026
【図２５】
2012070444.tif 000027
【図２６】
2012070444.tif 000028
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
第１の方向に表示される第１の画像および前記第１の方向と異なる第２の方向に表示される第２の画像が合成された画像であって、それぞれ１以上のサブ画素を含む複数の画素が配列され、前記第１の画像を構成するサブ画素と前記第２の画像を構成するサブ画素とが交互に配列された画像の前記各サブ画素の階調値を表す画像信号を受け付け、該画像信号のサブ画素の階調値を、前記第１および第２の画像間のクロストークが視認されにくくなるように補正するクロストーク補正部を備え、
前記クロストーク補正部は、補正対象のサブ画素にクロストークの影響を与えるサブ画素の階調値を選択するサブ画素選択部を有し、前記補正対象のサブ画素の階調値を、前記サブ画素選択部により選択されたサブ画素の階調値に応じた補正値を用いて補正し、
前記サブ画素選択部は、前記補正対象のサブ画素が表示される方向によって、前記補正対象のサブ画素に対して異なる位置または範囲にあるサブ画素の階調値を選択する
ことを特徴とする画像処理装置。
【請求項２】
前記サブ画素選択部は、前記第１の方向に表示されるサブ画素が、前記第２の方向に表示されるサブ画素と比較して、より広い範囲のサブ画素からクロストークの影響を受ける場合、前記補正対象のサブ画素が前記第１の方向に表示されるサブ画素であるときには、前記補正対象のサブ画素が前記第２の方向に表示されるサブ画素であるときよりも広い範囲にあるサブ画素の階調値を、前記補正対象のサブ画素にクロストークの影響を与えるサブ画素の階調値として選択することを特徴とする請求項１に記載の画像処理装置。
【請求項３】
前記サブ画素選択部は、前記第１の方向に表示されるサブ画素が、前記第２の方向に表示されるサブ画素と比較して、より広い範囲のサブ画素からクロストークの影響を受ける場合、前記補正対象のサブ画素が前記第１の方向に表示されるサブ画素であるときには、前記補正対象のサブ画素が前記第２の方向に表示されるサブ画素であるときよりも多くのサブ画素の階調値を、前記補正対象のサブ画素にクロストークの影響を与えるサブ画素の階調値として選択することを特徴とする請求項１または２に記載の画像処理装置。
【請求項４】
前記補正対象のサブ画素が前記第１の方向に表示されるサブ画素であるとき、前記サブ画素選択部により選択されたサブ画素の階調値のうちの複数のサブ画素の階調値の平均を算出することで、前記補正に用いるサブ画素の階調値の数を表示方向間で揃えることを特徴とする請求項３に記載の画像処理装置。
【請求項５】
前記第１の方向は、前記第２の方向よりも、前記画像が表示される表示面の正面から大きくずれた方向であることを特徴とする請求項１から４のいずれか１項に記載の画像処理装置。
【請求項６】
前記サブ画素選択部は、前記補正対象のサブ画素が含まれる画素に隣接する画素の周囲の画素に含まれる、前記補正対象のサブ画素が構成する画像と異なる画像を構成する、前記補正対象のサブ画素と同色のサブ画素の階調値を、前記補正対象のサブ画素にクロストークの影響を与えるサブ画素の階調値として選択することを特徴とする請求項１から５のいずれか１項に記載の画像処理装置。
【請求項７】
請求項１から６のいずれか１項に記載の画像処理装置と、
前記クロストーク補正部により補正された画像信号に基づき、前記第１および第２の画像をそれぞれ異なる方向に表示する表示部と、
を備えることを特徴とする画像表示装置。
【請求項８】
前記表示部は、前記第１および第２の画像をそれぞれ該表示部の表示面に対して左側および右側の方向に表示し、前記表示面に対して左右非対称な輝度特性を持つ、
ことを特徴とする請求項７に記載の画像表示装置。
【手続補正２】
【補正対象書類名】明細書
【補正対象項目名】００１１
【補正方法】変更
【補正の内容】
【００１１】
本発明の画像処理装置は、第１の方向に表示される第１の画像および前記第１の方向と異なる第２の方向に表示される第２の画像が合成された画像であって、それぞれ１以上のサブ画素を含む複数の画素が配列され、前記第１の画像を構成するサブ画素と前記第２の画像を構成するサブ画素とが交互に配列された画像の前記各サブ画素の階調値を表す画像信号を受け付け、該画像信号のサブ画素の階調値を、前記第１および第２の画像間のクロストークが視認されにくくなるように補正するクロストーク補正部を備え、前記クロストーク補正部は、補正対象のサブ画素にクロストークの影響を与えるサブ画素の階調値を選択するサブ画素選択部を有し、前記補正対象のサブ画素の階調値を、前記サブ画素選択部により選択されたサブ画素の階調値に応じた補正値を用いて補正し、前記サブ画素選択部は、前記補正対象のサブ画素が表示される方向によって、前記補正対象のサブ画素に対して異なる位置または範囲にあるサブ画素の階調値を選択することを特徴とする。
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
第１の方向に表示される第１の画像および前記第１の方向と異なる第２の方向に表示される第２の画像が合成された画像であって、複数の色の各々に対応する２以上のサブ画素を含む複数の画素が配列され、前記第１の画像を構成するサブ画素と前記第２の画像を構成するサブ画素とが交互に配列された画像の前記各サブ画素の階調値を表す画像信号を入力画像信号として受け取り、前記第１の画像および前記第２の画像間のクロストークの影響を補正により視認されにくくするように前記入力画像信号のサブ画素の階調値を補正してクロストーク補正後の画像信号として出力するクロストーク補正部と、
前記クロストーク補正後の画像信号に基づき、前記第１の画像を前記第１の方向に表示し、前記第２の画像を前記第２の方向に表示する表示面を有する表示部と
を備え、
前記第１の方向と前記表示面の正面の方向とのなす角度は、前記第２の方向と前記表示面の正面の方向とのなす角度よりも小さく、
前記クロストーク補正部は、サブ画素選択部と補正部とを有し、
前記サブ画素選択部は、補正対象のサブ画素の表示される方向が前記第１の方向である場合には、前記補正対象のサブ画素を含む画素に隣接して取り囲んでいる複数の画素を隣接画素群とすると、前記隣接画素群に含まれるサブ画素のうち、前記第２の方向に表示され、前記補正対象のサブ画素と同色のサブ画素の階調値を選択し、前記補正対象のサブ画素の表示される方向が前記第２の方向である場合には、前記隣接画素群を取り囲む複数の画素を周囲画素群とすると、前記隣接画素群及び前記周囲画素群に含まれるサブ画素のうち、前記第１の方向に表示され、前記補正対象のサブ画素と同色のサブ画素の階調値を選択し、
前記補正部は、前記サブ画素選択部が選択した各々のサブ画素の階調値が前記補正対象のサブ画素に与えるクロストークの影響による階調値のずれを打ち消す階調値を前記各々のサブ画素の階調値に対応した補正値とし、前記補正値を用いて前記補正対象のサブ画素の階調値を補正する
ことを特徴とする画像表示装置。
【請求項２】
第１の方向に表示される第１の画像および前記第１の方向と異なる第２の方向に表示される第２の画像が合成された画像であって、複数の色の各々に対応する２以上のサブ画素を含む複数の画素が配列され、前記第１の画像を構成するサブ画素と前記第２の画像を構成するサブ画素とが交互に配列された画像の前記各サブ画素の階調値を表す画像信号を入力画像信号として受け取り、前記第１の画像および前記第２の画像間のクロストークの影響を補正により視認されにくくするように前記入力画像信号のサブ画素の階調値を補正してクロストーク補正後の画像信号として出力するクロストーク補正部と、
前記クロストーク補正後の画像信号に基づき、前記第１の画像を前記第１の方向に表示し、前記第２の画像を前記第２の方向に表示する表示面を有する表示部と
を備え、
前記第１の方向と前記表示面の正面の方向とのなす角度は、前記第２の方向と前記表示面の正面の方向とのなす角度よりも小さく、
前記クロストーク補正部は、サブ画素選択部と補正部とを有し、
前記サブ画素選択部は、
補正対象のサブ画素の表示される方向が前記第１の方向である場合には、前記補正対象のサブ画素を含む画素に隣接して取り囲んでいる複数の画素を隣接画素群とすると、前記隣接画素群に含まれるサブ画素のうち、前記第２の方向に表示され、前記補正対象のサブ画素と同色のサブ画素の階調値を選択し、
前記補正対象のサブ画素の表示される方向が前記第２の方向である場合には、前記隣接画素群を取り囲む複数の画素を周囲画素群とすると、前記隣接画素群及び前記周囲画素群に含まれるサブ画素のうち、前記第１の方向に表示され、前記補正対象のサブ画素と同色のサブ画素の階調値を選択するとともに、前記サブ画素選択部が選択した各々のサブ画素の階調値のうち前記補正対象のサブ画素に対して近接した方向にあるサブ画素の階調値の平均値又は加重加算値を加算された階調値として算出し、
前記補正部は、前記加算された階調値が前記補正対象のサブ画素に与えるクロストークの影響による階調値のずれを打ち消す階調値を前記各々のサブ画素の階調値に対応した補正値とし、前記補正値を用いて前記補正対象のサブ画素の階調値を補正する
ことを特徴とする画像表示装置。
【請求項３】
前記補正部は、前記補正対象のサブ画素の階調値と前記補正値とを加算して前記補正対象のサブ画素の階調値を補正することを特徴とする請求項１または２に記載の画像表示装置。
【手続補正３】
【補正対象書類名】明細書
【補正対象項目名】００１１
【補正方法】変更
【補正の内容】
【００１１】
本発明の画像表示装置は、第１の方向に表示される第１の画像および前記第１の方向と異なる第２の方向に表示される第２の画像が合成された画像であって、複数の色の各々に対応する２以上のサブ画素を含む複数の画素が配列され、前記第１の画像を構成するサブ画素と前記第２の画像を構成するサブ画素とが交互に配列された画像の前記各サブ画素の階調値を表す画像信号を入力画像信号として受け取り、前記第１の画像および前記第２の画像間のクロストークの影響を補正により視認されにくくするように前記入力画像信号のサブ画素の階調値を補正してクロストーク補正後の画像信号として出力するクロストーク補正部と、前記クロストーク補正後の画像信号に基づき、前記第１の画像を前記第１の方向に表示し、前記第２の画像を前記第２の方向に表示する表示面を有する表示部とを備え、前記第１の方向と前記表示面の正面の方向とのなす角度は、前記第２の方向と前記表示面の正面の方向とのなす角度よりも小さく、前記クロストーク補正部は、サブ画素選択部と補正部とを有し、前記サブ画素選択部は、補正対象のサブ画素の表示される方向が前記第１の方向である場合には、前記補正対象のサブ画素を含む画素に隣接して取り囲んでいる複数の画素を隣接画素群とすると、前記隣接画素群に含まれるサブ画素のうち、前記第２の方向に表示され、前記補正対象のサブ画素と同色のサブ画素の階調値を選択し、前記補正対象のサブ画素の表示される方向が前記第２の方向である場合には、前記隣接画素群を取り囲む複数の画素を周囲画素群とすると、前記隣接画素群及び前記周囲画素群に含まれるサブ画素のうち、前記第１の方向に表示され、前記補正対象のサブ画素と同色のサブ画素の階調値を選択し、前記補正部は、前記サブ画素選択部が選択した各々のサブ画素の階調値が前記補正対象のサブ画素に与えるクロストークの影響による階調値のずれを打ち消す階調値を前記各々のサブ画素の階調値に対応した補正値とし、前記補正値を用いて前記補正対象のサブ画素の階調値を補正することを特徴とする。
【手続補正４】
【補正対象書類名】明細書
【補正対象項目名】００１２
【補正方法】変更
【補正の内容】
【００１２】
本発明の画像表示装置は、第１の方向に表示される第１の画像および前記第１の方向と異なる第２の方向に表示される第２の画像が合成された画像であって、複数の色の各々に対応する２以上のサブ画素を含む複数の画素が配列され、前記第１の画像を構成するサブ画素と前記第２の画像を構成するサブ画素とが交互に配列された画像の前記各サブ画素の階調値を表す画像信号を入力画像信号として受け取り、前記第１の画像および前記第２の画像間のクロストークの影響を補正により視認されにくくするように前記入力画像信号のサブ画素の階調値を補正してクロストーク補正後の画像信号として出力するクロストーク補正部と、前記クロストーク補正後の画像信号に基づき、前記第１の画像を前記第１の方向に表示し、前記第２の画像を前記第２の方向に表示する表示面を有する表示部と
を備え、前記第１の方向と前記表示面の正面の方向とのなす角度は、前記第２の方向と前記表示面の正面の方向とのなす角度よりも小さく、前記クロストーク補正部は、サブ画素選択部と補正部とを有し、前記サブ画素選択部は、補正対象のサブ画素の表示される方向が前記第１の方向である場合には、前記補正対象のサブ画素を含む画素に隣接して取り囲んでいる複数の画素を隣接画素群とすると、前記隣接画素群に含まれるサブ画素のうち、前記第２の方向に表示され、前記補正対象のサブ画素と同色のサブ画素の階調値を選択し、前記補正対象のサブ画素の表示される方向が前記第２の方向である場合には、前記隣接画素群を取り囲む複数の画素を周囲画素群とすると、前記隣接画素群及び前記周囲画素群に含まれるサブ画素のうち、前記第１の方向に表示され、前記補正対象のサブ画素と同色のサブ画素の階調値を選択するとともに、前記サブ画素選択部が選択した各々のサブ画素の階調値のうち前記補正対象のサブ画素に対して近接した方向にあるサブ画素の階調値の平均値又は加重加算値を加算された階調値として算出し、前記補正部は、前記加算された階調値が前記補正対象のサブ画素に与えるクロストークの影響による階調値のずれを打ち消す階調値を前記各々のサブ画素の階調値に対応した補正値とし、前記補正値を用いて前記補正対象のサブ画素の階調値を補正することを特徴とする。
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
第１の方向に表示される第１の画像および前記第１の方向と異なる第２の方向に表示される第２の画像が合成された画像であって、複数の色の各々に対応する２以上のサブ画素を含む複数の画素が配列され、前記第１の画像を構成するサブ画素と前記第２の画像を構成するサブ画素とが交互に配列された画像の前記各サブ画素の階調値を表す画像信号を入力画像信号として受け取り、前記第１の画像および前記第２の画像間のクロストークの影響を補正により視認されにくくするように前記入力画像信号のサブ画素の階調値を補正してクロストーク補正後の画像信号として出力するクロストーク補正部と、
前記クロストーク補正後の画像信号に基づき、前記第１の画像を前記第１の方向に表示し、前記第２の画像を前記第２の方向に表示する表示面を有する表示部と
を備え、
前記第１の方向と前記表示面の正面の方向とのなす角度は、前記第２の方向と前記表示面の正面の方向とのなす角度よりも小さく、
前記クロストーク補正部は、サブ画素選択部と補正部とを有し、
前記サブ画素選択部は、
補正対象のサブ画素の表示される方向が前記第１の方向である場合には、前記補正対象のサブ画素を含む画素に隣接して取り囲んでいる複数の画素を隣接画素群とすると、前記隣接画素群に含まれるサブ画素のうち、前記第２の方向に表示され、前記補正対象のサブ画素と同色のサブ画素の階調値を選択し、
前記補正対象のサブ画素の表示される方向が前記第２の方向である場合には、前記隣接画素群を取り囲む複数の画素を周囲画素群とすると、前記隣接画素群及び前記周囲画素群に含まれるサブ画素のうち、前記第１の方向に表示され、前記補正対象のサブ画素と同色のサブ画素の階調値を選択するとともに、前記サブ画素選択部が選択した各々のサブ画素の階調値のうち前記補正対象のサブ画素に対して近接した方向にあるサブ画素の階調値の平均値又は加重加算値を加算された階調値として算出し、
前記補正部は、前記加算された階調値が前記補正対象のサブ画素に与えるクロストークの影響による階調値のずれを打ち消す階調値を前記各々のサブ画素の階調値に対応した補正値とし、前記補正値を用いて前記補正対象のサブ画素の階調値を補正する
ことを特徴とする画像表示装置。
【請求項２】
前記補正部は、前記補正対象のサブ画素の階調値と前記補正値とを加算して前記補正対象のサブ画素の階調値を補正することを特徴とする請求項１に記載の画像表示装置。
【手続補正２】
【補正対象書類名】明細書
【補正対象項目名】００１１
【補正方法】削除
【補正の内容】
【国際調査報告】
2012070444.tif 000029
2012070444.tif 000030